(57)【特許請求の範囲】
【請求項１】
情報投影装置と、前記情報投影装置にネットワークで接続された画像形成データ生成装置と、前記画像形成データ生成装置に前記ネットワークで接続された画像形成装置と、を備えた情報投影システムであって、
前記情報投影装置は、
投影表示する投影表示単位毎に、文書データを構成する一または複数のページの画像データの表示形態を指示する操作手段と、
前記操作手段によって指示された表示形態で投影表示される前記一または複数のページの画像データの表示構成を示す表示情報、及び該表示形態の投影順を示す投影順情報を含む表示構成情報を、前記投影表示単位毎に生成する表示構成情報生成手段と、
前記表示構成情報生成手段によって前記投影表示単位毎に前記表示構成情報が生成される度に、生成された該表示構成情報に基づいて、前記一または複数のページの画像データを前記操作手段によって指示された表示形態で投影表示する投影表示手段と、
前記投影表示手段における投影表示の状態を検知する第１状態管理手段と、
前記第１状態管理手段による検知結果を前記画像形成データ生成装置に送信すると共に、前記表示構成情報生成手段によって前記投影表示単位毎に前記表示構成情報が生成される度に、生成された該表示構成情報を前記画像形成データ生成装置に送信する第１通信手段と、
を備え、
前記画像形成データ生成装置は、
前記文書データと、前記文書データを構成する一または複数のページの画像データの一覧である画像リストとを対応づけて記憶する記憶手段と、
前記表示構成情報及び前記検知結果を受信する第２通信手段と、
前記第２通信手段が受信した前記表示構成情報を記憶する表示構成情報管理手段と、
前記第２通信手段が受信した前記検知結果に基づいて、前記投影表示手段における投影表示の中断を検知する第２状態管理手段と、
前記第２状態管理手段が投影表示の中断を検知したときに、前記記憶手段において前記文書データに対応づけられた前記一または複数のページの画像データを、前記表示構成情報に含まれる前記表示情報が示す表示構成で、画像形成する記録媒体のサイズに対応する画像形成用メモリ領域に配置した画像形成データを生成する処理を、前記表示構成情報管理手段に記憶されている前記表示構成情報の各々について実行し、生成した画像形成データを前記画像形成装置に送信する画像形成データ生成手段と、を備え、
前記画像形成装置は、
前記画像形成データ生成装置から受信した前記画像形成データの画像形成を行う画像形成手段を備えた、
ことを特徴とする情報投影システム。
【請求項２】
前記第１通信手段は、前記検知結果として、前記投影表示手段における投影表示の再開を示す信号を前記画像形成データ生成装置に送信すると共に、前記画像形成データ生成装置から表示構成情報を受信し、
前記投影表示手段は、前記第１通信手段によって前記表示構成情報が受信されたときに、該表示構成情報に基づいた表示形態で、前記一または複数のページの画像データを更に投影表示し、
前記第２状態管理手段は、前記第２通信手段が受信した前記検知結果に基づいて、前記投影表示手段における投影表示の再開を更に検知し、
前記第２通信手段は、前記第２状態管理手段が前記再開を検知したときに、前記表示構成情報管理手段に記憶されている前記表示構成情報の内の、少なくとも直前に記憶した表示構成情報を前記情報投影装置へ送信する、
請求項１に記載の情報投影システム。
【請求項３】
前記画像形成装置は、
前記画像形成データ生成装置から受信した前記画像形成データを記憶する第２記憶手段と、
前記第２記憶手段に記憶された前記画像形成データの画像形成を指示する第２操作手段と、
を更に備え、
前記画像形成手段は、
前記第２操作手段によって画像形成が指示されたときに、前記第２記憶手段に記憶されている前記画像形成データの画像形成を行う、請求項１または請求項２に記載の情報投影システム。
【請求項４】
前記画像形成データを記憶する外部記憶装置を更に備え、
前記画像形成データ生成手段は、生成した画像形成データを前記外部記憶装置に記憶する、請求項１〜請求項３の何れか１項に記載の情報投影システム。
【請求項５】
前記画像形成データ生成手段は、前記第２状態管理手段が投影表示の中断を検知したときに、前記記憶手段において前記文書データに対応づけられた前記一または複数のページの画像データのうちの、未投影表示の画像データの画像を画像形成するための画像形成データを更に作成し、前記画像形成装置に送信する請求項１〜請求項４の何れか１項に記載の情報投影システム。
【請求項６】
前記情報投影装置は、前記表示構成情報に基づいた表示形態の投影表示の投影表示時間を計測し、計測した投影表示時間の投影時間情報及び該表示形態の投影表示の投影順を示す投影順情報を含む表示時間情報を生成する投影時間計測手段を更に備え、
前記表示構成情報生成手段は、前記操作手段によって指示された前記表示形態に基づいて、投影表示される前記一または複数のページの画像データの各々を一意に識別する画像識別情報を前記表示情報として含む、前記表示構成情報を生成し、
前記第１通信手段は、生成された前記表示時間情報を前記画像形成データ生成装置へ更に送信し、
前記第２通信手段は、前記表示時間情報を更に受信し、
前記第２状態管理手段は、前記第２通信手段で受信した前記表示時間情報に含まれる前記投影時間情報を、前記表示構成情報管理手段に記憶されている前記表示構成情報のうちの、該表示時間情報に含まれる前記投影順情報を含む表示構成情報に登録し、
前記画像形成データ生成手段は、前記第２状態管理手段が投影表示の中断を検知したときに、前記表示構成情報管理手段に記憶されている複数の前記表示構成情報の内の、含まれる画像識別情報が全て一致する表示構成情報を抽出し、抽出した表示構成情報の内の最も長い投影時間情報の登録されている表示構成情報を画像形成対象として指定すると共に、含まれる画像識別情報が全て一致するものの存在しない表示構成情報についても画像形成対象として指定し、画像形成対象として指定した表示構成情報に対応する画像形成データを生成する、請求項１〜請求項５の何れか１項に記載の情報投影システム。
【請求項７】
前記情報投影装置は、外部入力装置から入力データを受け付ける入力インタフェイス手段を更に備え、
前記第１通信手段は、前記表示構成情報に基づいた表示形態の投影表示中に前記外部入力装置から前記入力インタフェイス手段を介して受け付けた入力データ及び該表示形態の投影表示の投影順を示す投影順情報を含む外部入力情報を、前記画像形成データ生成装置に更に送信し、
前記第２通信手段は、前記外部入力情報を更に受信し、
前記第２状態管理手段は、前記第２通信手段で受信した前記外部入力情報に含まれる前記入力データを、前記表示構成情報管理手段に記憶されている前記表示構成情報のうちの、該外部入力情報に含まれる前記投影順情報を含む表示構成情報に登録し、
前記画像形成データ生成手段は、前記第２状態管理手段が投影表示の中断を検知したときに、前記記憶手段において前記文書データに対応づけられた前記一または複数のページの画像データを、前記表示構成情報に含まれる前記表示情報が示す表示構成で、画像形成する記録媒体のサイズに対応する画像形成用メモリ領域に配置すると共に、該表示構成情報に含まれる前記入力データを該画像形成用メモリ領域に配置することによって画像形成データを生成する、請求項１〜請求項６の何れか１項に記載の情報投影システム。
【請求項８】
前記表示構成情報生成手段は、前記操作手段によって指示された前記表示形態に基づいて、投影表示される前記一または複数のページの画像データの投影画面上での配置位置座標を示す相対位置情報を前記表示情報として含む、前記表示構成情報を生成することを特徴とする請求項１〜請求項７の何れか１項に記載の情報投影システム。
【請求項９】
前記表示構成情報生成手段は、前記操作手段によって指示された前記表示形態に基づいて、投影表示される前記複数のページの画像データの投影画面上での重なり順を示す重なり順情報を前記表示情報として含む、前記表示構成情報を生成することを特徴とする請求項１〜請求項８の何れか１項に記載の情報投影システム。
【請求項１０】
前記表示構成情報生成手段は、前記操作手段によって指示された前記表示形態に基づいて、投影表示される前記一または複数のページの画像データの投影画面上での切り出し範囲を示す部分位置情報を前記表示情報として含む、前記表示構成情報を生成することを特徴とする請求項１〜請求項９の何れか１項に記載の情報投影システム。
【請求項１１】
画像形成データを生成する画像形成データ生成装置にネットワークで接続された情報投影装置であって、
投影表示する投影表示単位毎に、文書データを構成する一または複数のページの画像データの表示形態を指示する操作手段と、
前記操作手段によって指示された表示形態で投影表示される前記一または複数のページの画像データの表示構成を示す表示情報、及び該表示形態の投影順を示す投影順情報を含む表示構成情報を、前記投影表示単位毎に生成する表示構成情報生成手段と、
前記表示構成情報生成手段によって前記投影表示単位毎に前記表示構成情報が生成される度に、生成された該表示構成情報に基づいて、前記一または複数のページの画像データを前記操作手段によって指示された表示形態で投影表示する投影表示手段と、
前記投影表示手段における投影表示の状態を検知する第１状態管理手段と、
前記第１状態管理手段によって検知された検知結果を前記画像形成データ生成装置に送信すると共に、前記表示構成情報生成手段によって前記投影表示単位毎に前記表示構成情報が生成される度に、生成された該表示構成情報を前記画像形成データ生成装置に送信する第１通信手段と、
を備えた情報投影装置。
【請求項１２】
前記第１通信手段は、前記検知結果を示す信号として、前記投影表示手段における投影表示の再開を示す信号を前記画像形成データ生成装置に送信すると共に、前記画像形成データ生成装置から表示構成情報を受信し、
前記投影表示手段は、前記第１通信手段によって前記表示構成情報が受信されたときに、該表示構成情報に基づいた表示形態で、前記一または複数のページの画像データを更に投影表示する、
請求項１１に記載の情報投影装置。
【請求項１３】
前記表示構成情報生成手段は、前記操作手段によって指示された前記表示形態に基づいて、投影表示される前記一または複数のページの画像データの投影画面上での配置位置座標を示す相対位置情報を前記表示情報として含む、前記表示構成情報を生成することを特徴とする請求項１１または請求項１２に記載の情報投影装置。
【請求項１４】
前記表示構成情報生成手段は、前記操作手段によって指示された前記表示形態に基づいて、投影表示される前記複数のページの画像データの投影画面上での重なり順を示す重なり順情報を前記表示情報として含む、前記表示構成情報を生成することを特徴とする請求項１１〜請求項１３の何れか１項に記載の情報投影装置。
【請求項１５】
前記表示構成情報生成手段は、前記操作手段によって指示された前記表示形態に基づいて、投影表示される前記一または複数のページの画像データの投影画面上での切り出し範囲を示す部分位置情報を前記表示情報として含む、前記表示構成情報を生成することを特徴とする請求項１１〜請求項１４の何れか１項に記載の情報投影装置。
【請求項１６】
前記表示構成情報に基づいた表示形態の投影表示の投影表示時間を計測し、計測した投影表示時間の投影時間情報及び該表示形態の投影表示の投影順を示す投影順情報を含む表示時間情報を生成する投影時間計測手段を更に備え、
前記表示構成情報生成手段は、前記操作手段によって指示された前記表示形態に基づいて、投影表示される前記一または複数のページの画像データの各々を一意に識別する画像識別情報を前記表示情報として含む、前記表示構成情報を生成し、
前記第１通信手段は、生成された前記表示時間情報を前記画像形成データ生成装置へ更に送信する、請求項１１〜請求項１５の何れか１項に記載の情報投影装置。
【請求項１７】
外部入力装置から入力データを受け付ける入力インタフェイス手段を更に備え、
前記第１通信手段は、前記表示構成情報に基づいた表示形態の投影表示中に前記外部入力装置から前記入力インタフェイス手段を介して受け付けた入力データ及び該表示形態の投影表示の投影順を示す投影順情報を含む外部入力情報を、前記画像形成データ生成装置に更に送信する、請求項１１〜請求項１６の何れか１項に記載の情報投影装置。
【請求項１８】
画像形成装置とネットワークで接続された情報投影装置であって、
投影表示する投影表示単位毎に、文書データを構成する一または複数のページの画像データの表示形態を指示する操作手段と、
前記操作手段によって指示された表示形態で投影表示される前記一または複数のページの画像データの表示構成を示す表示情報、及び該表示形態の投影順を示す投影順情報を含む表示構成情報を、前記投影表示単位毎に生成する表示構成情報生成手段と、
前記表示構成情報生成手段によって前記投影表示単位毎に前記表示構成情報が生成される度に、生成された該表示構成情報に基づいて、前記一または複数のページの画像データを前記操作手段によって指示された表示形態で投影表示する投影表示手段と、
前記投影表示手段における投影表示の状態を検知する第１状態管理手段と、
前記文書データと、前記文書データを構成する一または複数のページの画像データの一覧である画像リストとを対応づけて記憶する記憶手段と、
前記表示構成情報生成手段によって前記投影表示単位毎に前記表示構成情報が生成される度に、生成された該表示構成情報を記憶する表示構成情報管理手段と、
前記第１状態管理手段によって検知された検知結果が投影表示の中断を示すときに、前記記憶手段において前記文書データに対応づけられた前記一または複数のページの画像データを、前記表示構成情報に含まれる前記表示情報が示す表示構成で、画像形成する記録媒体のサイズに対応する画像形成用メモリ領域に配置した画像形成データを生成する処理を、前記表示構成情報管理手段に記憶されている前記表示構成情報の各々について実行し、生成した画像形成データを前記画像形成装置に送信する画像形成データ生成手段と、
を備えた情報投影装置。
【請求項１９】
投影表示する投影表示単位毎に文書データを投影表示する情報投影装置と画像形成データの画像形成を行う画像形成装置とにネットワークで接続された画像形成データ生成装置であって、
前記文書データと、前記文書データを構成する一または複数のページの画像データの一覧である画像リストとを対応づけて記憶する記憶手段と、
前記投影表示単位毎に生成された、投影表示される前記一または複数のページの画像データの表示構成を示す表示情報及び該投影表示される表示形態の投影順を示す投影順情報を含む表示構成情報を受信すると共に、前記情報投影装置における投影表示の状態の検知結果を示す信号を受信する第２通信手段と、
前記第２通信手段が受信した前記表示構成情報を記憶する表示構成情報管理手段と、
前記第２通信手段が受信した前記検知結果に基づいて、前記情報投影装置における投影表示の中断を検知する第２状態管理手段と、
前記第２状態管理手段が投影表示の中断を検知したときに、前記記憶手段において前記文書データに対応づけられた前記一または複数のページの画像データを、前記表示構成情報に含まれる前記表示情報が示す表示構成で、画像形成する記録媒体のサイズに対応する画像形成用メモリ領域に配置した画像形成データを生成する処理を、前記表示構成情報管理手段に記憶されている前記表示構成情報の各々について実行し、生成した画像形成データを画像形成装置に送信する画像形成データ生成手段と
を備えた画像形成データ生成装置。
【請求項２０】
前記第２状態管理手段は、前記第２通信手段が受信した前記検知結果に基づいて、前記情報投影装置における投影表示の再開を更に検知し、
前記第２通信手段は、前記第２状態管理手段が前記再開を検知したときに、前記表示構成情報管理手段に記憶されている前記表示構成情報の内の、少なくとも直前に記憶した表示構成情報を前記情報投影装置へ送信する、
請求項１９に記載の画像形成データ生成装置。
【請求項２１】
前記画像形成データ生成手段は、前記第２状態管理手段が投影表示の中断を検知したときに、前記記憶手段において前記文書データに対応づけられた前記一または複数のページの画像データのうちの、未投影表示の画像データの画像を画像形成するための画像形成データを更に作成し、前記画像形成装置に送信する、請求項１９または請求項２０に記載の画像形成データ生成装置。
【請求項２２】
前記第２通信手段は、前記投影表示単位毎に生成された前記表示構成情報に基づいた表示形態の投影表示の投影表示時間を示す投影時間情報及び該表示形態の投影表示の投影順を示す投影順情報を含む表示時間情報を、更に受信し、
前記第２状態管理手段は、前記第２通信手段で受信した前記表示時間情報に含まれる前記投影時間情報を、前記表示構成情報管理手段に記憶されている前記表示構成情報のうちの、該表示時間情報に含まれる前記投影順情報を含む表示構成情報に登録し、
前記画像形成データ生成手段は、前記第２状態管理手段が投影表示の中断を検知したときに、前記表示構成情報管理手段に記憶されている複数の前記表示構成情報の内の、含まれる画像識別情報が全て一致する表示構成情報を抽出し、抽出した表示構成情報の内の最も長い投影時間情報の登録されている表示構成情報を画像形成対象として指定すると共に、含まれる画像識別情報が全て一致するものの存在しない表示構成情報についても画像形成対象として指定し、画像形成対象として指定した表示構成情報に対応する画像形成データを生成する、請求項１９〜請求項２１の何れか１項に記載の画像形成データ生成装置。
【請求項２３】
前記第２通信手段は、前記表示構成情報に基づいた表示形態の投影表示中に外部入力装置から入力インタフェイス手段を介して受け付けた入力データ及び該入力データに対応づけられた投影順情報を含む外部入力情報を、更に受信し、
前記第２状態管理手段は、前記第２通信手段で受信した前記外部入力情報に含まれる前記入力データを、前記表示構成情報管理手段に記憶されている前記表示構成情報のうちの、該外部入力情報に含まれる前記投影順情報を含む表示構成情報に登録し、
前記画像形成データ生成手段は、前記第２状態管理手段が投影表示の中断を検知したときに、前記記憶手段において前記文書データに対応づけられた前記一または複数のページの画像データを、前記表示構成情報に含まれる前記表示情報が示す表示構成で、画像形成する記録媒体のサイズに対応する画像形成用メモリ領域に配置すると共に、該表示構成情報に含まれる前記入力データを該画像形成用メモリ領域に配置することによって画像形成データを生成する、請求項１９〜請求項２２の何れか１項に記載の画像形成データ生成装置。
【請求項２４】
前記表示構成情報は、前記情報投影装置で投影表示される前記一または複数のページの画像データの投影画面上での配置位置座標を示す相対位置情報を含み、
前記画像形成データ生成手段は、前記一または複数のページの画像データを、前記相対位置情報が示す配置位置座標で、前記画像形成用メモリ領域に配置した前記画像形成データを生成する、請求項１９〜請求項２３の何れか１項に記載の画像形成データ生成装置。
【請求項２５】
前記表示構成情報は、前記情報投影装置で投影表示される前記複数のページの画像データの投影画面上での重なり順を示す重なり順情報を含み、
前記画像形成データ生成手段は、さらに、前記複数のページの画像データを、前記重なり順情報が示す重なり順で、前記画像形成用メモリ領域に配置した前記画像形成データを生成する、請求項１９〜請求項２４の何れか１項に記載の画像形成データ生成装置。
【請求項２６】
前記表示構成情報は、前記情報投影装置で投影表示される前記一または複数のページの画像データの投影画面上での切り出し範囲を示す部分位置情報を含み、
前記画像形成データ生成手段は、さらに、前記一または複数のページの画像データを、前記部分位置情報が示す切り出し範囲で、前記画像形成用メモリ領域に配置した前記画像形成データを生成する、請求項１９〜請求項２５の何れか１項に記載の画像形成データ生成装置。
【発明の詳細な説明】
【技術分野】
【０００１】
本発明は、情報投影システム、情報投影装置、及び画像形成データ生成装置に関する。
【背景技術】
【０００２】
従来から、オフィスや大学で行われる講義や説明会あるいは打ち合わせ等で、説明資料を事前に人数分印刷して配布しつつ、情報投影装置としてのプロジェクタを利用して、ＰＣ（Ｐｅｒｓｏｎａｌ  Ｃｏｍｐｕｔｅｒ）上で作成した説明資料をスクリーンに投影するといった場面がある。このような場面には、ＰＣとプロジェクタとを、有線または無線で接続したプロジェクション関連の技術や、ＰＣからの資料の印刷という既存の技術を用いている。
【０００３】
例えば、特許文献１には、プロジェクタで投影している説明資料のページと、議事内容とを対応づけた組として画像形成装置に記憶し、印刷の際には、対応づけて画像形成装置に記憶した内容を印刷することにより、複数ページの説明資料を、会議中にプロジェクタで投影している状態で、その投影しているページと議事録内容を組み合わせて印刷出力できるようにし、これにより、議事録内容と投影された説明資料のページとの関係を把握させる技術が開示されている。
【０００４】
また、特許文献２には、プロジェクタ側で、ＵＲＬ（Ｕｎｉｆｏｒｍ  Ｒｅｓｏｕｒｃｅ  Ｌｏｃａｔｏｒ）で指定された記憶場所から、当該記憶場所に予め保存しておいた説明資料のデータを取得して投影表示することで、操作側のＰＣで投影表示する説明資料のデータの保持を不要とする技術が開示されている。
【発明の概要】
【発明が解決しようとする課題】
【０００５】
しかしながら、これらの従来技術では、ＰＣの画面をそのままプロジェクタで投影しない場合、すなわち、ＵＳＢ（Ｕｎｉｖｅｒｓａｌ  Ｓｅｒｉａｌ  Ｂｕｓ）メモリ等に画像データを保存しておいたり、ネットワーク経由で表示対象の画像データをプロジェクタに転送する場合、プロジェクタで投影する際に部分的に拡大したり、複数のページを同時にスクリーンに投影しても、その投影表示された表示形態のまま印刷等の画像形成を行うことが困難である。このため、プロジェクタへの投影表示によるプレゼンテーション等の最中に投影表示が中断されると、中断前に投影表示された内容を、投影表示された表示形態のままで確認することは困難であった。
【０００６】
本発明は、上記に鑑みてなされたものであって、投影表示が中断された場合に、中断前に投影表示された文書データを構成する一または複数のページの画像データを、投影表示された表示形態と同じ表示形態で画像形成することができる情報投影システム、情報投影装置、及び画像形成データ生成装置を提供することを主な目的とする。
【課題を解決するための手段】
【０００７】
上述した課題を解決し、目的を達成するために、本発明にかかる情報投影システムは、情報投影装置と、前記情報投影装置にネットワークで接続された画像形成データ生成装置と、前記画像形成データ生成装置に前記ネットワークで接続された画像形成装置と、を備えた情報投影システムであって、前記情報投影装置は、投影表示する投影表示単位毎に、文書データを構成する一または複数のページの画像データの表示形態を指示する操作手段と、前記操作手段によって指示された表示形態で投影表示される前記一または複数のページの画像データの表示構成を示す表示情報、及び該表示形態の投影順を示す投影順情報を含む表示構成情報を、前記投影表示単位毎に生成する表示構成情報生成手段と、前記表示構成情報生成手段によって前記投影表示単位毎に前記表示構成情報が生成される度に、生成された該表示構成情報に基づいて、前記一または複数のページの画像データを前記操作手段によって指示された表示形態で投影表示する投影表示手段と、前記投影表示手段における投影表示の状態を検知する第１状態管理手段と、前記第１状態管理手段による検知結果を前記画像形成データ生成装置に送信すると共に、前記表示構成情報生成手段によって前記投影表示単位毎に前記表示構成情報が生成される度に、生成された該表示構成情報を前記画像形成データ生成装置に送信する第１通信手段と、を備え、前記画像形成データ生成装置は、前記文書データと、前記文書データを構成する一または複数のページの画像データの一覧である画像リストとを対応づけて記憶する記憶手段と、前記表示構成情報及び前記検知結果を受信する第２通信手段と、前記第２通信手段が受信した前記表示構成情報を記憶する表示構成情報管理手段と、前記第２通信手段が受信した前記検知結果に基づいて、前記投影表示手段における投影表示の中断を検知する第２状態管理手段と、前記第２状態管理手段が投影表示の中断を検知したときに、前記記憶手段において前記文書データに対応づけられた前記一または複数のページの画像データを、前記表示構成情報に含まれる前記表示情報が示す表示構成で、画像形成する記録媒体のサイズに対応する画像形成用メモリ領域に配置した画像形成データを生成する処理を、前記表示構成情報管理手段に記憶されている前記表示構成情報の各々について実行し、生成した画像形成データを前記画像形成装置に送信する画像形成データ生成手段と、を備え、前記画像形成装置は、前記画像形成データ生成装置から受信した前記画像形成データの画像形成を行う画像形成手段を備えた、ことを特徴とする情報投影システムである。
【０００８】
また、本発明に係る情報投影装置は、画像形成データを生成する画像形成データ生成装置にネットワークで接続された情報投影装置であって、投影表示する投影表示単位毎に、文書データを構成する一または複数のページの画像データの表示形態を指示する操作手段と、前記操作手段によって指示された表示形態で投影表示される前記一または複数のページの画像データの表示構成を示す表示情報、及び該表示形態の投影順を示す投影順情報を含む表示構成情報を、前記投影表示単位毎に生成する表示構成情報生成手段と、前記表示構成情報生成手段によって前記投影表示単位毎に前記表示構成情報が生成される度に、生成された該表示構成情報に基づいて、前記一または複数のページの画像データを前記操作手段によって指示された表示形態で投影表示する投影表示手段と、前記投影表示手段における投影表示の状態を検知する第１状態管理手段と、前記第１状態管理手段によって検知された検知結果を前記画像形成データ生成装置に送信すると共に、前記表示構成情報生成手段によって前記投影表示単位毎に前記表示構成情報が生成される度に、生成された該表示構成情報を前記画像形成データ生成装置に送信する第１通信手段と、を備えた情報投影装置である。
【０００９】
また、本発明に係る情報投影装置は、画像形成装置とネットワークで接続された情報投影装置であって、投影表示する投影表示単位毎に、文書データを構成する一または複数のページの画像データの表示形態を指示する操作手段と、前記操作手段によって指示された表示形態で投影表示される前記一または複数のページの画像データの表示構成を示す表示情報、及び該表示形態の投影順を示す投影順情報を含む表示構成情報を、前記投影表示単位毎に生成する表示構成情報生成手段と、前記表示構成情報生成手段によって前記投影表示単位毎に前記表示構成情報が生成される度に、生成された該表示構成情報に基づいて、前記一または複数のページの画像データを前記操作手段によって指示された表示形態で投影表示する投影表示手段と、前記投影表示手段における投影表示の状態を検知する第１状態管理手段と、前記文書データと、前記文書データを構成する一または複数のページの画像データの一覧である画像リストとを対応づけて記憶する記憶手段と、前記表示構成情報生成手段によって前記投影表示単位毎に前記表示構成情報が生成される度に、生成された該表示構成情報を記憶する表示構成情報管理手段と、前記第１状態管理手段によって検知された検知結果が投影表示の中断を示すときに、前記記憶手段において前記文書データに対応づけられた前記一または複数のページの画像データを、前記表示構成情報に含まれる前記表示情報が示す表示構成で、画像形成する記録媒体のサイズに対応する画像形成用メモリ領域に配置した画像形成データを生成する処理を、前記表示構成情報管理手段に記憶されている前記表示構成情報の各々について実行し、生成した画像形成データを前記画像形成装置に送信する画像形成データ生成手段と、を備えた情報投影装置である。
【００１０】
また、本発明に係る画像形成データ生成装置は、投影表示する投影表示単位毎に文書データを投影表示する情報投影装置と画像形成データの画像形成を行う画像形成装置とにネットワークで接続された画像形成データ生成装置であって、前記文書データと、前記文書データを構成する一または複数のページの画像データの一覧である画像リストとを対応づけて記憶する記憶手段と、前記投影表示単位毎に生成された、投影表示される前記一または複数のページの画像データの表示構成を示す表示情報及び該投影表示される表示形態の投影順を示す投影順情報を含む表示構成情報を受信すると共に、前記情報投影装置における投影表示の状態の検知結果を示す信号を受信する第２通信手段と、前記第２通信手段が受信した前記表示構成情報を記憶する表示構成情報管理手段と、前記第２通信手段が受信した前記検知結果に基づいて、前記情報投影装置における投影表示の中断を検知する第２状態管理手段と、前記第２状態管理手段が投影表示の中断を検知したときに、前記記憶手段において前記文書データに対応づけられた前記一または複数のページの画像データを、前記表示構成情報に含まれる前記表示情報が示す表示構成で、画像形成する記録媒体のサイズに対応する画像形成用メモリ領域に配置した画像形成データを生成する処理を、前記表示構成情報管理手段に記憶されている前記表示構成情報の各々について実行し、生成した画像形成データを画像形成装置に送信する画像形成データ生成手段とを備えた画像形成データ生成装置である。
【発明の効果】
【００１１】
本発明によれば、投影表示が中断された場合であっても、中断前に投影表示された文書データを構成する一または複数のページの画像データを、投影表示された表示形態と同じ表示形態で画像形成することができる情報投影システム、情報投影装置、及び画像形成データ生成装置を提供することができる。
【図面の簡単な説明】
【００１２】
【図１】図１は、実施の形態１の情報投影システムのネットワーク構成、および情報投影装置、印刷データ生成装置、印刷装置の各機能的構成を示すブロック図である。
【図２】図２は、画像リストのデータ構造の一例を示す説明図である。
【図３】図３は、リンクテーブルの一例を示す説明図である。
【図４】図４は、表示資料情報に含まれる表示構成情報のデータ構造の一例を示す説明図である。
【図５】図５は、相対位置情報が登録された表示情報を含む表示構成情報の一例を示す説明図である。
【図６】図６は、図５に示す表示情報を含む表示構成情報が生成される場合におけるユーザによる表示形態の指示の例を示す説明図である。
【図７】図７は、相対位置情報および重なり順情報が登録された表示情報を含む表示構成情報の一例を示す説明図である。
【図８】図８は、図７に示す表示情報を含む表示構成情報が生成される場合におけるユーザによる表示形態の指示の例を示す説明図である。
【図９】図９は、相対位置情報、部分位置情報および重なり順情報が登録された表示情報を含む表示構成情報の一例を示す説明図である。
【図１０】図１０は、図９に示す表示情報を含む表示構成情報が生成される場合におけるユーザによる表示形態の指示の例を示す説明図である。
【図１１】図１１は、実施の形態１の文書データの登録処理のシーケンス図である。
【図１２】図１２は、実施の形態１の投影表示処理の手順を示すシーケンス図である。
【図１３】図１３は、実施の形態１の表示構成情報の生成処理の手順を示すフローチャートである。
【図１４】図１４は、実施の形態１の印刷処理の手順を示すシーケンス図である。
【図１５】図１５は、実施の形態１の中断検知処理の手順を示すフローチャートである。
【図１６】図１６は、実施の形態１の中断検知処理において行われる割り込み処理の手順を示すフローチャートである。
【図１７】図１７は、実施の形態１の印刷データ生成処理の手順を示すフローチャートである。
【図１８】図１８は、実施の形態２の情報投影システムのネットワーク構成、および情報投影装置、印刷データ生成装置、印刷装置の各機能的構成を示すブロック図である。
【図１９】図１９は、実施の形態２の記憶処理の手順を示すシーケンス図である。
【図２０】図２０は、実施の形態３の情報投影システムのネットワーク構成、および情報投影装置、印刷データ生成装置、印刷装置の各機能的構成を示すブロック図である。
【図２１】図２１は、実施の形態３の印刷データ生成処理の手順を示すシーケンス図である。
【図２２】図２２は、実施の形態４の情報投影システムのネットワーク構成、および情報投影装置、印刷データ生成装置、印刷装置の各機能的構成を示すブロック図である。
【図２３】図２３は、実施の形態４の印刷処理の手順を示すシーケンス図である。
【図２４】図２４は、実施の形態４の印刷データ生成処理の手順を示すフローチャートである。
【図２５】図２５は、実施の形態４の未投影表示画像印刷データ生成処理の手順を示すフローチャートである。
【図２６】図２６は、相対位置情報が登録された表示情報を含む表示構成情報の一例を示す説明図である。
【図２７】図２７は、文書データに含まれる画像データの一例を示す説明図である。
【図２８】図２８は、図２６に示す表示構成情報及び図２７に示す画像データから生成された印刷データおよび印刷結果を示す説明図である。
【図２９】図２９は、実施の形態５の情報投影システムのネットワーク構成、および情報投影装置、印刷データ生成装置、印刷装置の各機能的構成を示すブロック図である。
【図３０】図３０は、実施の形態５の表示資料情報に含まれる表示構成情報のデータ構造の一例を示す説明図である。
【図３１】図３１は、実施の形態５の投影時間情報の登録処理の手順を示すシーケンス図である。
【図３２】図３２は、実施の形態５の印刷データ生成処理の手順を示すフローチャートである。
【図３３】図３３は、投影時間情報が登録された表示構成情報の一例を示す説明図である。
【図３４】図３４は、文書データに含まれる画像データの一例を示す説明図である。
【図３５】図３５は、図３３に示す表示構成情報及び図３４に示す画像データから生成された印刷データおよび印刷結果を示す説明図である。
【図３６】図３６は、実施の形態６の情報投影システムのネットワーク構成、および情報投影装置、印刷データ生成装置、印刷装置の各機能的構成を示すブロック図である。
【図３７】図３７は、実施の形態６の表示資料情報に含まれる表示構成情報のデータ構造の一例を示す説明図である。
【図３８】図３８は、実施の形態６の議事録情報の登録処理の手順を示すシーケンス図である。
【図３９】図３９は、実施の形態６の印刷データ生成処理の手順を示すフローチャートである。
【図４０】図４０は、議事録情報が登録された表示構成情報の一例を示す説明図である。
【図４１】図４１は、文書データに含まれる画像データの一例と、該画像データ及び図４０に示す表示構成情報から生成された印刷データおよび印刷結果を示す説明図である。
【図４２】図４２は、実施の形態１、２、３、４、５、６の印刷データ生成装置２００，２００Ａ、２００Ｂ、２００Ｃ、２００Ｄ、２００Ｅのハードウェア構成例を示すブロック図である。
【図４３】図４３は、情報投影装置１００、１００Ｂ、１００Ｄ、１００Ｅのハードウェア構成例を示すブロック図である。
【図４４】図４４は、実施の形態７の情報投影システムのネットワーク構成、および情報投影装置、印刷装置の各機能的構成を示すブロック図である。
【図４５】図４５は、実施の形態１の再生処理の手順を示すフローチャートである。
【図４６】図４６は、実施の形態１の再生処理の手順を示すフローチャートである。
【発明を実施するための形態】
【００１３】
以下に添付図面を参照して、情報投影システム、情報投影装置、および画像形成データ生成装置の一の実施の形態を詳細に説明する。
【００１４】
（実施の形態１）
図１は、実施の形態１の情報投影システムのネットワーク構成、および情報投影装置、印刷データ生成装置、印刷装置の各機能的構成を示すブロック図である。本実施の形態にかかる情報投影システムは、情報投影装置１００と、画像形成データ生成装置としての印刷データ生成装置２００と、画像形成装置としての印刷装置３００と、ＰＣ４００とを備え、それぞれがインターネット等のネットワークに接続された構成となっている。
【００１５】
情報投影装置１００は、投影スクリーンに文書データの内容を投影表示するプロジェクタ等が該当するが、これに限定されるものではない。印刷データ生成装置２００は、投影表示された文書データを印刷するための印刷データを生成し、印刷装置３００に送信するものである。ここで、印刷データとしては、例えば、ＰＤＬ（Ｐｒｉｎｔ  Ｄｅｓｃｒｉｐｔｉｏｎ  Ｌａｎｇｕａｇｅ）データ等が該当する。印刷装置３００は、印刷部３０１を備え、印刷データ生成装置２００で生成された印刷データを受信し、印刷部３０１により、この印刷データを記録媒体に印刷する。
【００１６】
印刷データ生成装置２００の詳細について説明する。印刷データ生成装置２００は、図１に示すように、通信部２０１と、表示構成情報管理部２０２と、文書管理部２０３と、印刷データ生成部２０４と、画像データ生成部２０５と、記憶部２１０と、状態管理部２０６と、を主に備えている。
【００１７】
記憶部２１０は、ハードディスクドライブ装置（ＨＤＤ）等の記憶媒体であり、後述する文書データや、画像リスト等を記憶する。ここで、文書データには、プレゼンテーション資料作成ソフトウェアやワードプロセッサ等で生成されたデータ、あるいはこれらのデータから変換された表示用データ等が該当するが、これらに限定されるものではない。
【００１８】
画像データ生成部２０５は、文書データを構成する一または複数のページのそれぞれを、情報投影装置１００で投影表示が可能な形式の１ページ単位の画像データに変換する。情報投影装置１００で投影表示が可能な形式としては、例えば、ＪＰＥＧ形式等があげられるが、これに限定されるものではない。
【００１９】
文書管理部２０３は、ＰＣ４００から、情報投影装置１００で投影する文書データを受信し、受信した文書データを記憶部２１０に保存する。また、文書管理部２０３は、画像データ生成部２０５により、変換された一または複数のページのそれぞれの画像データの一覧からなる画像リストを記憶部２１０に保存するとともに、この画像リストと、画像リストを構成する一または複数の画像データのページを含む文書データとリンクすることより、文書データと画像リストとを対応づける。
【００２０】
図２は、画像リストのデータ構造の一例を示す説明図である。図２に示すように、画像リストには、文書データを構成するページ単位のデータから投影表示用に変換された画像データと、この画像データを一意に識別するための画像ＩＤとがそれぞれ対応づけられて含まれる。文書管理部２０３は、このような画像リストと、変換元の文書データとをリンクテーブルを生成することによってリンクする。
【００２１】
図３は、リンクテーブルの一例を示す説明図である。リンクテーブルは、記憶部２１０に保存される。文書管理部２０３は、図３に示すように、文書データのファイル名である文書データ名と、この文書データから変換された画像データを含む画像リストのファイル名である画像リスト名とをリンクテーブルに対応づけて登録する。
【００２２】
また、文書管理部２０３は、情報投影装置１００から通信部２０１を介して、投影表示対象の文書データの画像リストの要求を受けた場合には、リンクテーブルを参照して、記憶部２１０から、投影表示対象の文書データに対応する画像リストを読み出し、通信部２０１に受け渡す。
【００２３】
また、文書管理部２０３は、印刷データ生成部２０４から画像データの取得要求を受け付けた場合には、リンクテーブルを参照して、記憶部２１０から、投影表示対象の文書データに対応する画像リストを読み出して、印刷データ生成部２０４に受け渡す。
【００２４】
なお、文書データと画像リストのリンクの手法は、リンクテーブルを用いた手法に限定されるものではなく、文書データと画像リストとをリンクするものであれば、いずれの手法も適用することができる。
【００２５】
図１に戻り、通信部２０１は、情報投影装置１００から、情報投影装置１００で投影表示された一または複数のページの画像データの表示構成を示す表示情報と、投影表示する該表示形態の投影順を示す投影順情報と、を含む表示構成情報を受信する。表示構成情報の詳細については後述する。
【００２６】
また、通信部２０１は、情報投影装置１００からの要求を受けて、投影表示の対象である文書データに対応する画像リスト（文書管理部２０３によって記憶部２１０から読み出される）を情報投影装置１００に送信する。
【００２７】
表示構成情報管理部２０２は、情報投影装置１００から受信した表示構成情報を記憶する。この表示構成情報は、投影表示する投影表示単位毎に、情報投影装置１００側で作成される。そして、作成された表示構成情報は、情報投影装置１００から通信部２０１を介して表示構成情報管理部２０２へ順次（表示構成情報が生成される度に順次）送信される。そして、表示構成情報管理部２０２は、受け付けた表示構成情報を順次記憶する。このため、表示構成情報管理部２０２は、上記投影表示単位毎に生成された、１または複数の表示構成情報からなる表示資料情報を記憶する（図４参照）。表示構成情報については詳細を後述する。また、この表示形態の指示についても、詳細を後述する。
【００２８】
状態管理部２０６は、情報投影装置１００における投影表示の中断を検知する。この中断の検知は、情報投影装置１００から通信部２０１を介して入力される情報投影装置１００の投影表示の状態を示す信号を判別することによって行う。状態管理部２０６における、該投影表示の中断検知の詳細は後述する。状態管理部２０６は、投影表示の中断を検知すると、投影表示された文書データの印刷要求を印刷データ生成部２０４に送信する。
【００２９】
印刷データ生成部２０４は、状態管理部２０６から印刷要求を受け付けると、表示構成情報管理部２０２に記憶されている表示資料情報に含まれる１または複数の表示構成情報の全てを読み取る。また、印刷データ生成部２０４は、状態管理部２０６から該印刷要求を受け付けると、印刷指示の対象である文書データに対応づけられた画像リスト（文書管理部２０３によって記憶部２１０から読み出される）に含まれる、一または複数のページの画像データを、上記読み取った１または複数の表示構成情報の各々が示す表示構成で印刷する用紙サイズに対応する印刷用メモリ領域に配置した印刷データを生成する。このため、印刷データ生成部２０４では、状態管理部２０６から印刷要求を受け付けたときに表示構成情報管理部２０２に記憶されている表示資料情報に含まれる１または複数の表示構成情報毎、すなわち、投影表示される表示形態の投影表示単位毎に、印刷データを生成する。そして、印刷データ生成部２０４は、生成した全ての印刷データを印刷装置３００に送信して、印刷装置３００に印刷させる。なお、表示構成情報に応じた具体的な印刷データの生成手法については後述する。
【００３０】
次に、情報投影装置１００の詳細について説明する。情報投影装置１００は、図１に示すように、操作部１０２と、通信部１０１と、表示構成情報生成部１０３と、投影表示部１０４と、状態管理部１０５と、を主に備えている。
【００３１】
状態管理部１０５は、投影表示部１０４における投影表示の状態を検知し、検知結果（すなわち、投影表示の状態）を示す信号を、通信部１０１を介して印刷データ生成装置２００へ送信する。この投影表示の状態を示す信号としては、情報投影装置１００の投影表示部１０４において投影表示が正常に行われていることを示す信号や、投影表示の中断を示す信号等が挙げられる。投影表示の中断を示す信号としては、情報投影装置１００内における装置故障を示す信号、及びユーザの操作指示によって操作部１０２から入力された投影表示の中断を示す信号等がある。装置故障を示す信号とは、具体的には、投影表示部１０４への投影表示が出来ない状態である事を示す故障情報であり、この装置故障を示す信号には、例えば、投影表示部１０４に設けられた光源の故障を示す情報等が挙げられる。
【００３２】
なお、状態管理部１０５は、図示を省略する信号線によって情報投影装置１００内の装置各部に電気的に接続されており、該装置各部から各種信号が状態管理部１０５に入力されるように構成されている。また、情報統制装置１００内の装置各部では、情報投影装置１００内において投影表示が困難であるような異常が発生したときに、装置故障を示す信号を状態管理部１０５に逐次送信するように構成されている。
【００３３】
そして、状態管理部１０５では、投影表示の状態を示す信号として、このような装置故障を示す信号や操作部１０２から入力された投影表示の中断を示す信号等の、投影表示の中断を示す信号が情報投影装置１００内の装置各部から入力された場合には、該中断を示す信号を受け付けたときに、通信部１０１を介して印刷データ生成装置２００に装置故障を示す信号を送信する。
【００３４】
一方、投影表示の状態を示す信号としての、投影表示部１０４において投影表示が正常に行われていることを示す信号については、状態管理部１０５は、所定時間毎に通信部１０１を介して該信号を印刷データ生成装置２００に送信する。
【００３５】
通信部１０１は、文書データの投影表示を行う場合に、投影表示対象の文書データの画像リストを、印刷データ生成装置２００に要求して、当該画像リストを受信する。また、通信部１０１は、状態管理部１０５から受け付けた投影表示の状態を示す信号を、印刷データ生成装置２００に送信する。また、通信部１０１は、表示構成情報生成部１０３によって生成された、後述する表示構成情報を印刷データ生成装置２００に送信する。
【００３６】
操作部１０２は、例えば、ボタン、リモコン受信部、および、ＩＣカードなどから情報を読取るカードリーダなどにより構成される入力デバイスである。なお、操作部１０２がキーボードを備えるように構成してもよい。
【００３７】
操作部１０２は、文書データを構成する一または複数のページの画像データ、すなわち、通信部１０１によって印刷データ生成装置２００から受信した、文書データに対応する画像リストに含まれる一または複数のページの画像データの表示形態の指示を、ユーザから受け付ける。この表示形態として、画像データの拡大縮小、画像データの配置位置、複数の画像データの重ね合わせなどが、操作部１０２の操作指示によってユーザから指示される。また、操作部１０２は、投影表示部１０４への投影表示の中断の指示を、ユーザから受け付ける。また、操作部１０２は、投影表示部１０４への投影表示の中断の後に投影表示を再開することを示す再開の指示を、ユーザから受け付ける。
【００３８】
投影表示部１０４は、文書データに対応する画像リストに含まれる一または複数のページの画像データを、ユーザによって指示された表示形態でスクリーンに投影表示する。
【００３９】
表示構成情報生成部１０３は、ユーザにより指示された表示形態に基づいて、１度に投影表示部１０４に投影表示する投影表示単位毎に表示構成情報を生成する。表示構成情報は、投影表示部１０４にユーザが指示した表示形態で投影表示された一または複数のページの画像データの表示構成を示すデータと、該表示形態の投影表示の投影順を示す投影順情報と、を含む。そして、この表示構成は、ユーザが指示した表示形態を実現する表示構成である。
【００４０】
図４の点線Ａ内には、表示構成情報のデータ構造の一例を示す説明図を示した。表示構成情報は、図４に示すように、１ページの画像データを単位とした１または複数の表示情報と、投影順情報と、から構成される。
【００４１】
一つの表示情報には、画像データの画像ＩＤと、表示構成としての、相対位置情報、重なり順情報、部分位置情報が含まれる。
【００４２】
なお、表示構成情報生成部１０３は、表示構成情報を生成する際に、画像ＩＤと相対位置情報を必ず生成するが、重なり順情報と部分位置情報は、ユーザから指示された表示形態により生成されない場合もある。
【００４３】
以下、表示構成情報の各構成について説明する。
【００４４】
まず、相対位置情報について説明する。相対位置情報は、投影表示部１０４により投影表示された一または複数のページの画像データの投影スクリーン上、すなわち、ＲＡＭ（不図示）の表示用メモリ領域上での配置位置座標を示す。
【００４５】
図５は、相対位置情報が登録された表示情報を含む表示構成情報の一例を示す説明図である。なお、図５は、表示構成情報管理部２０２に２つの表示構成情報（２回分の投影表示のための表示構成情報）が記憶されている場合を示したものである。図６は、図５に示す表示情報を含む表示構成情報が生成されて表示構成情報管理部２０２に記憶されている場合における、各表示構成情報のユーザによる表示形態の指示の例を示す説明図である。
【００４６】
図５には、画像ＩＤ＝１の画像データを、投影表示部１０４の投影スクリーン上の縦横各０％の座標位置を始点として該投影スクリーン上の縦横各５０％の位置に表示する表示形態が、投影順１番目の投影表示の表示形態として、ユーザによる操作部１０２の操作によって指示された場合を示した。また、図５には、画像ＩＤ＝１の画像データを、投影表示部１０４の投影スクリーン上の縦横各５０％の座標位置を始点として該投影スクリーン上の縦横各１００％の位置に表示する表示形態が、投影順２番目の投影表示の表示形態として、ユーザによる操作部１０２の操作によって指示された場合を示した。
【００４７】
すなわち、図６（Ａ）に示すように、投影順１番目の投影表示の表示形態として、投影スクリーン上の始点（０％，０％）から終点（５０％，５０％）までの範囲に画像ＩＤ＝１の画像データを１／４に縮小して表示する表示形態をユーザが指示した場合には、表示構成情報生成部１０３は、ユーザからの操作入力イベントや、表示用画像メモリ領域上での画像データの存在位置から、図５に示す、図５の投影順情報＝１に対応する相対位置情報を有する表示構成情報を生成する。
【００４８】
また、図６（Ｂ）に示すように、投影順２番目の投影表示の表示形態として、投影スクリーン上の始点（０５％，５０％）から終点（１００％，１００％）までの範囲に画像ＩＤ＝２の画像データを１／４に縮小して表示する表示形態をユーザが指示した場合には、表示構成情報生成部１０３は、ユーザからの操作入力イベントや、表示用画像メモリ領域上での画像データの存在位置から、図５に示す、図５の投影順情報＝２に対応する相対位置情報を有する表示構成情報を生成する。
【００４９】
次に、重なり順情報について説明する。重なり順情報は、投影表示部１０４により投影表示された複数のページの画像データの投影スクリーン上（表示用メモリ領域上）での重なり順を示す。
【００５０】
図７は、重なり順情報が登録された表示情報を含む表示構成情報の一例を示す説明図である。なお、図７は、表示構成情報管理部２０２に１つの表示構成情報（１回分の投影表示のための表示構成情報）が記憶されている場合を示したものである。図８は、図７に示す表示構成情報が生成されて表示構成情報管理部２０２に記憶されている場合における、ユーザによる表示形態の指示の例を示す説明図である。
【００５１】
図７は、画像ＩＤ＝１の画像データを、投影表示部１０４の投影スクリーン上の縦横各０％の座標位置を始点として、投影スクリーン上の縦横各６０％の位置に表示し、画像ＩＤ＝２の画像データを、投影スクリーン上の縦横各５０％の座標位置を始点として、投影スクリーン上の縦横各１００％の位置に表示し、かつ、画像ＩＤ＝１の画像データの重なり順を１番目、画像ＩＤ＝２の画像データの重なり順を２番目とした表示形態が、投影順１番目の投影表示の表示形態として、ユーザによる操作部１０２の操作によって指示された場合を示している。
【００５２】
すなわち、図８に示すように、投影順１番目の投影表示の表示形態として、投影スクリーン上の始点（０％，０％）から終点（６０％，６０％）までの範囲に画像ＩＤ＝１の画像データを０．３６倍に縮小して表示し、投影スクリーン上の始点（５０％，５０％）から終点（１００％，１００％）までの範囲に画像ＩＤ＝２の画像データを１／４に縮小して表示し、画像ＩＤ＝１の画像データの上に画像ＩＤ＝２の画像データを重ねて表示する表示形態をユーザが指示した場合に、表示構成情報生成部１０３は、ユーザからの操作入力イベントや、表示用画像メモリ領域上での画像データの存在位置から、図７に示す、投影順情報、相対位置情報、重なり順情報を有する表示構成情報を生成する。
【００５３】
次に、部分位置情報について説明する。部分位置情報は、投影表示された一または複数のページの画像データの投影スクリーン上（表示用メモリ領域上）での切り出し範囲を示す。
【００５４】
図９は、部分位置情報が登録された表示情報を含む表示構成情報の一例を示す説明図である。なお、図９は、表示構成情報管理部２０２に１つの表示構成情報（１回分の投影表示のための表示構成情報）が記憶されている場合を示したものである。図１０は、図９に示す表示構成情報が生成されて表示構成情報管理部２０２に記憶されている場合における、ユーザによる表示形態の指示の例を示す説明図である。
【００５５】
図９は、画像ＩＤ＝１の画像データに対して、当該画像データのうち、縦横各０％の座標位置を始点として縦横４０％の座標位置までの範囲を切り出して、切り出した範囲を、投影スクリーン上の縦横各０％の座標位置を始点として、投影スクリーン上の縦横各６０％の位置に表示する表示形態を示す。また、画像ＩＤ＝２の画像データに対して、当該画像データのうち、縦横各５０％の座標位置を始点として縦横１００％の座標位置までの範囲を切り出して、切り出した範囲を、投影スクリーン上の縦横各５０％の座標位置を始点として、投影スクリーン上の縦横各１００％の位置に表示する表示形態を示す。そして、さらに、双方の画像データに対して、画像ＩＤ＝１の画像データの重なり順を１番目、画像ＩＤ＝２の画像データの重なり順を２番目とした表示形態が、投影順１番目の投影表示の表示形態として、ユーザによる操作部１０２の操作によって指示された場合を示している。
【００５６】
すなわち、図１０に示すように、投影順１番目の投影表示の表示形態として、画像ＩＤ＝１の画像データから始点（０％，０％）から終点（４０％，４０％）の座標位置までの範囲を切り出し、投影スクリーン上の始点（０％，０％）から終点（６０％，６０％）までの範囲に画像ＩＤ＝１の画像データから切り出した範囲の画像データを縮小して表示し、画像ＩＤ＝２の画像データから始点（５０％，５０％）から終点（１００％，１００％）の座標位置までの範囲を切り出し、投影スクリーン上の始点（５０％，５０％）から終点（１００％，１００％）までの範囲に画像ＩＤ＝２の画像データから切り出した範囲の画像データを表示し、画像ＩＤ＝１の画像データの上に画像ＩＤ＝２の画像データを重ねて表示する表示形態をユーザが指示した場合に、表示構成情報生成部１０３は、ユーザからの操作入力イベントや、表示用画像メモリ領域上での画像データの存在位置から、図１０に示す相対位置情報、重なり順情報を有する表示構成情報を生成する。
【００５７】
次に、以上のように構成された本実施の形態の情報投影システムによる文書データの登録処理について説明する。図１１は、実施の形態１の文書データの登録処理のシーケンス図である。
【００５８】
まず、ＰＣ４００は、文書データとともに文書登録の指示を印刷データ生成装置２００の文書管理部２０３に送信する（ステップＳ１０１）。印刷データ生成装置２００の文書管理部２０３は、受信した文書データの画像変換指示を画像データ生成部２０５に送信する（ステップＳ１０２）。
【００５９】
画像データ生成部２０５は、文書データを構成する１または複数のページのそれぞれを情報投影装置１００で投影表示可能な形式の画像データに変換する（ステップＳ１０３）。そして、画像データ生成部２０５は、画像データから、図２に示す画像リストを生成して、生成した画像リストを文書管理部２０３に送信する（ステップＳ１０４）。
【００６０】
次に、文書管理部２０３は、ＰＣ４００から受信した文書データと、画像データ生成部２０５から受信した画像リストとをリンクする（ステップＳ１０５）。そして、文書管理部２０３は、文書データと画像リストを記憶部２１０に保存することにより登録する（ステップＳ１０６）。記憶部２１０への保存が完了したら、文書管理部２０３は、文書データを送信したＰＣ４００に文書登録完了通知を送信する（ステップＳ１０７）。以上のようにして、文書データが登録される。
【００６１】
次に、本実施の形態の情報投影システムによる文書データの投影表示処理について説明する。図１２は、実施の形態１の投影表示処理の手順を示すシーケンス図である。
【００６２】
まず、情報投影装置１００において、ユーザは操作部１０２から投影表示対象の文書データを指示した画像一覧表示要求の指示を行い、これを受け付けた操作部１０２は、画像一覧表示要求を、通信部１０１を介して印刷データ生成装置２００に送信する（ステップＳ１１、Ｓ１２）。
【００６３】
印刷データ生成装置２００では、通信部２０１により画像一覧表示要求を受信すると、文書管理部２０３に対して、指示された文書データに対応した画像リストの取得要求を送信する（ステップＳ１３）。
【００６４】
画像リスト取得要求を受けた文書管理部２０３は、記憶部２１０から、指示された文書データに対応する画像リストを取得して、取得した画像リストを、通信部２０１を介して情報投影装置１００に送信する（ステップＳ１４、Ｓ１５）。
【００６５】
情報投影装置１００では、通信部１０１が、印刷データ生成装置２００から画像リストを受信し、受信した画像リストを表示構成情報生成部１０３に送信する（ステップＳ１６）。そして、表示構成情報生成部１０３は、投影表示部１０４に画像リストとともに画像リストの表示要求を行う（ステップＳ１７）。投影表示部１０４は、画像リストの表示要求を受けると、画像リストの画像データを投影スクリーンに投影表示する（ステップＳ１８）。
【００６６】
ユーザは、投影スクリーン上に投影表示された、投影表示対象の文書データを構成する１または複数のページの画像データの一覧を見ながら、操作部１０２の操作により画像データのレイアウトを決定する（ステップＳ１９）。具体的には、ユーザは、操作部１０２を操作することによって、１または複数の画像データに対し、上述したように、配置位置、拡大、一部の切り出し、重ね合わせなどのレイアウトを投影スクリーン上で行う。このレイアウトは、内部的には、表示用メモリ領域上で実現される。そして、操作部１０２は、ユーザによって行われた１または複数の画像データの各々のレイアウトを示す情報を表示形態の指示として受け付ける。そして、上記レイアウトの決定は、例えば、ユーザの操作部１０２の操作指示によって、レイアウトの決定指示を示す決定信号が該操作部１０２から入力されたときをもって行われる。操作部１０２では、ユーザによる操作指示によって該決定信号が入力されたときに、該決定信号の入力前（前回決定信号が入力されてから今回決定信号が入力されるまでの間）に受け付けている１または複数の画像データの表示形態の指示を１つの投影表示単位とし、該投影表示単位の表示形態で投影表示することを要求する表示要求を、表示構成情報生成部１０３へ送信する（ステップＳ２０）。
【００６７】
表示要求を受けた表示構成情報生成部１０３は、操作部１０２からユーザにより入力された操作のイベントや、表示用メモリ領域上での画像データの配置等から、投影表示する投影表示単位毎に表示構成情報を生成する（ステップＳ２２）。ここで、表示構成情報の生成処理の詳細については後述する。
【００６８】
表示構成情報が生成されたら、表示構成情報生成部１０３は、生成した表示構成情報を、通信部１０１を介して、印刷データ生成装置２００に送信する（ステップＳ２３、ステップＳ２４）。
【００６９】
印刷データ生成装置２００では、通信部２０１が情報投影表示装置１００から表示構成情報を受信する（ステップＳ２４）。表示構成情報を受信した通信部２０１は、受信した表示構成情報を表示構成情報管理部２０２に送信する（ステップＳ２５）。表示構成情報管理部２０２は、受信した表示構成情報を表示構成情報管理部２０２に保存することにより登録する（ステップＳ３１）。そして、表示構成情報管理部２０２は、表示構成情報の受信通知を、通信部２０１を介して情報投影装置１００に送信する（ステップＳ２６，Ｓ２７）。
【００７０】
情報投影装置１００では、通信部１０１が受信通知を受信し、この受信通知を表示構成情報生成部１０３に転送する（ステップＳ２８）。表示構成情報生成部１０３は、表示構成情報の受信通知を受信すると、上記ステップＳ２２で生成した表示構成情報と、該表示構成情報に含まれる画像ＩＤに対応する画像データと、を含む画像表示要求を投影表示部１０４に送信する（ステップＳ２９）。画像表示要求を受けた投影表示部１０４は、該画像表示要求に含まれる表示構成情報に基づいて、ユーザによって指示された表示形態で画像データを投影スクリーンに投影表示する（ステップＳ３０）。
【００７１】
以上のようにして、表示構成情報生成部１０３によって投影表示単位毎に表示構成情報が生成される度に、該表示構成情報が表示構成情報管理部２０２に保存されると共に、該表示構成情報に対応する表示形態で、文書データに含まれる１または複数の画像データが投影表示部１０４に投影表示される。
【００７２】
なお、本実施の形態では、図１２に示すように、表示構成情報生成部１０３が生成した表示構成情報を表示構成情報管理部２０２に保存した後に（ステップＳ２３〜ステップＳ２８、ステップＳ３１）、投影表示部１０４が該表示構成情報に対応する表示形態で画像データを投影表示する（ステップＳ２９、Ｓ３０）場合を説明した。しかし、表示構成情報生成部１０３で表示構成情報が生成される度に、表示構成情報管理部２０２への表示構成情報の保存、及び投影表示部１０４への投影表示が実行されればよく、該保存と該投影表示との処理順序は逆であってもよい。すなわち、表示構成情報生成部１０３が生成した表示構成情報を、投影表示部１０４が該表示構成情報に対応する表示形態で画像データを投影表示（ステップＳ２９、Ｓ３０）した後に、該表示構成情報を表示構成情報管理部２０２に保存（ステップＳ２３〜ステップＳ２８、ステップＳ３１）してもよい。
【００７３】
次に、ステップＳ２２における表示構成情報の生成処理の詳細について説明する。図１３は、実施の形態１の表示構成情報の生成処理の手順を示すフローチャートである。表示構成情報生成部１０３は、まず、ステップＳ１９でユーザが操作部１０２で操作した操作入力イベントを取得し（ステップＳ４１）、次いで、表示用画像メモリ領域からレイアウトされた全体の画像データを読み出す（ステップＳ４２）。
【００７４】
そして、表示構成情報生成部１０３は、読み出した全体の画像データを解析して、画像リストに登録された画像データの数を取得する（ステップＳ４３）。そして、以下のステップＳ４４からＳ４８までの処理を画像データの数分、画像データごとに繰り返す。
【００７５】
表示構成情報生成部１０３は、表示用画像メモリ領域の全体の画像データに含まれる画像データを一つ採択して、画像リストに登録されている画像ＩＤを表示構成情報に登録する（ステップＳ４４）。次に、表示構成情報生成部１０３は、表示用画像メモリ領域のサイズに対する画像データのサイズおよび配置位置を取得する（ステップＳ４５）。そして、表示構成情報生成部１０３は、かかる画像データのサイズおよび配置位置から相対位置情報を生成して、表示構成情報に画像ＩＤに対応づけて登録する（ステップＳ４６）。
【００７６】
次に、表示構成情報生成部１０３は、画像リスト中に登録された画像データと、表示用画像メモリ領域中の同じ画像データとを比較する（ステップＳ４７）。そして、操作入力イベントも参照して、画像データの切り出し範囲を求め、部分位置情報を生成して、表示構成情報に画像ＩＤに対応づけて登録する（ステップＳ４８）。
【００７７】
上記のステップＳ４４からステップＳ４８までの処理を表示用画像メモリ領域に含まれるすべての画像データに対して終了したら、画像データごとの切り欠き部分の有無や操作入力イベントから、各画像データの重なり順を求め、各画像データごとの重なり順情報を生成して、表示情報毎の各画像ＩＤに対応づけて登録する（ステップＳ４９）。
【００７８】
次に、表示構成情報生成部１０３は、上記ステップＳ４４からステップＳ４９までの処理によって生成された、１または複数の表示情報に、投影順情報を対応づけて登録する（ステップＳ５０）。この投影順情報としては、以下のように定めた値を登録する。例えば、表示構成情報生成部１０３では、操作部１０２によって投影表示単位毎に画像レイアウトが決定されて（ステップＳ１９、図１２参照）操作部１０２から表示要求を受け付けたときに（ステップＳ２０、図１２参照）、図示を省略するメモリ内に予め記憶した投影順を示す数値を“１”カウントアップし、カウントアップした後の数値を、投影順を示す投影順情報として表示構成情報に登録する。このため、投影順情報は、投影表示単位毎に付与される。なお、この投影順を示す投影順情報は、例えば、操作部１０２による操作指示によってリセットされて初期値（例えば‘０’）に戻されるようにしてもよいし、新たな文書データが表示対象の文書データとして指示されたときに、初期値に戻されるようにしてもよい。
【００７９】
以上のような処理により、図４の囲み線Ａ内の例に示す表示構成情報や、図５、図７、図９に示す各表示構成情報が生成される。
【００８０】
次に、本実施の形態の情報投影システムによる印刷処理について説明する。図１４は、実施の形態１の印刷処理の手順を示すシーケンス図である。
【００８１】
本実施の形態では、印刷データ生成装置２００は、状態管理部２０６において、情報投影装置１００における投影表示が中断されたことを検知する中断検知処理を実行する（ステップＳ６１）。状態管理部２０６は、このステップＳ６１における中断検知処理を所定時間毎に繰り返し実行する。
【００８２】
このステップＳ６１における中断検知処理の詳細について説明する。図１５及び図１６は、実施の形態１の中断検知処理の手順の一例を示すフローチャートである。状態管理部２０６は、情報投影装置１００から通信部２０１を介して、投影表示の状態を示す信号を受信したか否かを判別する（ステップＳ５１）。そして、状態管理部２０６は、投影表示の状態を示す信号を受信したと判別した場合には（ステップＳ５１：Ｙｅｓ）、ステップＳ５２へ進む。一方、状態管理部２０６は、投影表示の状態を示す信号を受信しなかった場合には（ステップＳ５１：Ｎｏ）、本ルーチンを終了する。
【００８３】
次に、状態管理部２０６は、受信した投影表示の状態を示す信号が、投影表示中断を示す信号であるか否かを判別する（ステップＳ５２）。そして、状態管理部２０６は、ステップＳ５２で肯定判断すると（ステップＳ５２：Ｙｅｓ）、情報投影装置１００における投影表示が中断されたこと、すなわち中断検知を判断する（ステップＳ５３）。一方、ステップ５２で否定判断すると（ステップ５２：Ｎｏ）、本ルーチンを終了する。
【００８４】
また、状態管理部２０６では、図１５に示す中断検知処理において、図１６に示す割り込み処理を所定時間毎に実行する。状態管理部２０６は、通信部２０１を介して、情報投影装置１００に接続確認信号を送信する（ステップＳ５４）。
【００８５】
該接続確認信号を受け付けた情報投影装置１００は、通信部１０１を介して状態管理部１０５に該接続確認信号を送信する。接続確認信号を受け付けた状態管理部１０５は、情報投影装置１００が正常に動作していることを示す接続確認信号として、例えば、ＡＣＫ信号（Ａｃｋｎｏｗｌｅｄｇｅｍｅｎｔ信号）を、通信部１０１を介して印刷データ生成装置２００へ返信する。
【００８６】
一方、情報投影装置１００内の装置各部の異常によって印刷データ生成装置２００にＡＣＫ信号を返信することが出来ない状態である場合には、該ＡＣＫ信号は印刷データ生成装置２００に返信されない。
【００８７】
次に、状態管理部２０６は、上記ステップＳ５４で接続確認信号を出力してから所定時間以内に、上記接続信号としてのＡＣＫ信号を受信したか否かを判別する（ステップＳ５６）。そして、状態管理部２０６は、接続信号の受信を判別した場合には（ステップＳ５６：Ｙｅｓ）本ルーチンを終了する。一方、状態管理部２０６は、接続信号の受信を判別しなかった場合には（ステップＳ５６：Ｎｏ）、情報投影装置１００における投影表示が中断されたこと、すなわち中断検知を判断する（ステップＳ５７）。
【００８８】
なお、上記ステップＳ５６で接続確認信号の受信を判別した場合には（ステップＳ５６：Ｙｅｓ）上記ステップＳ５４へ戻るようにし、予め定められた回数、接続確認信号送信処理（ステップＳ５４）及び接続確認信号受信判断処理（ステップＳ５６）を該ステップ５６で否定判断するまで（ステップＳ５６：Ｎｏ）繰り返し実行するようにしてもよい。
【００８９】
図１４に戻り、状態管理部２０６が、中断検知処理（ステップＳ６１）によって投影表示の中断を検知すると（ステップ５３、Ｓ５７で中断と判断、図１５、図１６参照）、状態管理部２０６は、印刷データ生成部２０４に印刷要求を送信する（ステップＳ６３）。なお、状態管理部２０６が中断検知処理（ステップＳ６１）で中断を検知しなかった場合には、図１４に示す印刷処理の手順を示すシーケンスは実行されない。印刷データ生成部２０４は、印刷要求を受信すると、表示構成情報管理部２０２に保存されている全ての表示構成情報（すなわち、表示資料情報）の取得を要求するための、表示構成情報取得要求を表示構成情報管理部２０２に送信する（ステップＳ６４）。
【００９０】
表示構成情報管理部２０２は、表示構成情報管理部２０２に保存されている表示資料情報に含まれる、全ての表示構成情報を取得して、取得した全ての表示構成情報を印刷データ生成部２０４に送信する（ステップＳ６５）。印刷データ生成部２０４は、各表示構成情報に登録されている画像ＩＤの画像データの取得要求を、文書管理部２０３に送信する（ステップＳ６６）。この取得要求を受けた文書管理部２０３は、記憶部２１０に保存されている画像リストから、取得要求のあった画像ＩＤの画像データを取得して、取得した画像データを画像ＩＤとともに印刷データ生成部２０４に送信する（ステップＳ６７）。
【００９１】
画像データを受信した印刷データ生成部２０４は、印刷データ生成処理を行う（ステップＳ６８）。ここで、印刷データ生成処理の詳細については後述する。
【００９２】
印刷データ生成部２０４は、印刷データを生成すると、印刷装置３００に印刷データとともに印刷要求を送信する（ステップＳ６９）。印刷要求を受信した印刷装置３００では、印刷部３０１が受信した印刷データを印刷する（ステップＳ７０）。
【００９３】
次に、ステップＳ６８における印刷データ生成処理の詳細について説明する。図１７は、実施の形態１の印刷データ生成処理の手順を示すフローチャートである。
【００９４】
印刷データ生成部２０４は、印刷要求で指定された印刷条件から、印刷する用紙の用紙サイズを取得する（ステップＳ８１）。そして、印刷データ生成部２０４は、用紙サイズの範囲を印刷用画像メモリ領域の範囲に割り当てる（ステップＳ８２）。
【００９５】
次に、印刷データ生成部２０４は、表示構成情報管理部２０２から取得した１または複数の表示構成情報の各々について、以下のステップＳ８３からステップＳ８８までの処理を、表示構成情報の数分、すなわち、投影表示済の表示形態の数分、繰り返し実行する。なお、下記ステップＳ８３〜ステップＳ８８の処理は、表示構成情報管理部２０２から取得した１または複数の表示構成情報のうちの、最も投影順情報の小さいものから順に実行することが好ましい。
【００９６】
印刷データ生成部２０４は、表示構成情報管理部２０２から取得した表示構成情報から重なり順情報を取得して（ステップＳ８３）、以下のステップＳ８４からＳ８８までの処理を重なり順情報の数分、すなわち画像データの数分繰り返し実行する。
【００９７】
印刷データ生成部２０４は、該表示構成情報に部分位置情報の指定があるか否かを判断する（ステップＳ８４）。そして、表示構成情報に部分位置情報の指定がない場合には（ステップＳ８４：Ｎｏ）、印刷データ生成部２０４は、画像データの全範囲を表示対象画像とする（ステップＳ８５）。
【００９８】
一方、ステップＳ８４で、表示構成情報に部分位置情報の指定がある場合には（ステップＳ８４：Ｙｅｓ）、印刷データ生成部２０４は、画像データから部分位置情報で指定された範囲の部分画像を表示対象画像として切り抜く（ステップＳ８６）。
【００９９】
次に、印刷データ生成部２０４は、表示対象画像を相対位置情報で指定された範囲のサイズに拡大または縮小する（ステップＳ８７）。そして、印刷データ生成部２０４は、拡大縮小された表示対象画像を、印刷用画像メモリ領域上で相対位置情報で指定された位置に上書きする（ステップＳ８８）。印刷データ生成部２０４は、上記のようなステップＳ８４からＳ８８までの処理を、重なり順情報の数、すなわち表示する画像データの数分繰り返し行うことで、複数の画像データを重なり順情報で指定された順番で、かつ相対位置情報、部分位置情報で指定された範囲、サイズ、位置で印刷用画像メモリ領域に配置して、印刷データを生成することができる。
【０１００】
なお、処理対象の表示構成情報に重なり情報が含まれていない場合には、上記ステップＳ８３の処理を省略し、上記重なり順情報が１であるものとして、ステップＳ８４〜ステップＳ８８の処理を実行すればよい。
【０１０１】
そして、上記ステップＳ８３〜ステップＳ８８の処理を、上記ステップＳ６５（図１４参照）で取得した表示構成情報の数分、すなわち、投影表示済の表示形態の数分、繰り返し実行することによって、投影表示済の表示形態を示す全ての表示構成情報に対応する印刷データを生成することができる。
【０１０２】
このように、本実施の形態では、情報投影装置１００における投影表示の最中に該投影表示が中断された場合に、中断前に投影表示された文書データを構成する一または複数のページの画像データを、投影表示された表示形態と同じ表示形態で画像形成することができる。
【０１０３】
すなわち、図６（Ａ）、図６（Ｂ）、図８、及び図１０で示した、ユーザによってレイアウトを指示された文書データについて、該文書データを構成する一または複数のページの画像データのうちの、投影表示済の画像データを、中断前に投影表示されていた表示形態のそのままで印刷することができる。
【０１０４】
従って、プロジェクタへの投影表示によるプレゼンテーション等の最中に投影表示が中断された場合に、中断前に投影表示された内容を、投影表示された表示形態のままで確認することができる。
【０１０５】
また、本実施の形態では、表示構成情報に画像データの相対位置情報を含めて生成するため、情報投影装置１００が投影表示している内容において、表示全体の中の一部分に画像データが表示されているような場合であっても、情報投影装置１００から出力される表示構成情報を用いて、指定した用紙サイズ上に表示上の位置と同等の位置に画像データを配置することができ、投影スクリーンにおける表示形態と同じ形態の印刷出力を得ることができる。
【０１０６】
また、本実施の形態では、表示構成情報に複数の画像データに対する重なり順情報を含めて生成するため、情報投影装置１００が投影表示している内容において、複数の画像データが重なって表示されているような場合であっても、情報投影装置１００から出力される表示構成情報を用いて指定用紙サイズ上に複数の画像データを配置することができ、投影スクリーンにおける表示形態と同じ印刷出力を得ることができる。
【０１０７】
また、本実施の形態では、表示構成情報に画像データに含まれる部分画像の部分位置情報を含めて生成するため、情報投影装置１００が投影表示している内容において、画像データの一部を抜き出したものが表示の全体または一部を表示している場合（すなわち、拡大表示の場合）であっても、情報投影装置１００から出力される表示構成情報を用いて指定用紙サイズ上に画像データを配置の一部を配置することができ、投影スクリーンにおける表示形態と同じ印刷出力を得ることができる。
【０１０８】
さらに、本実施の形態では、印刷データ生成装置２００、情報投影装置１００、印刷装置３００の３つの装置が連携して、情報投影装置１００の投影スクリーンへの表示形態に応じた印刷出力を行うので、情報投影装置１００が複数存在する場合に、システム配置構成として、印刷データ生成装置２００、印刷装置３００はそれぞれ一つずつの設置のみにすることができる。
【０１０９】
なお、本実施の形態では、投影表示が中断されたときに、投影表示済の表示形態に対応する画像データを、中断前に投影表示されていた表示形態のそのままで印刷する場合を説明した。しかし、投影表示が中断された後に、情報投影装置１００の操作部１０２が操作指示されること等によって投影表示が再開されたときに、投影表示の中断前に投影表示していた画像データを該中断前に指示された表示形態で更に表示するようにしてもよい。
【０１１０】
この場合には、例えば、操作部１０２が操作指示されることによって、投影表示の再開を示す指示がなされると、投影表示の再開を示す信号が操作部１０２から通信部１０１を介して印刷データ生成装置２００に送信されるようにすればよい。そして、印刷データ生成装置２００では、該投影表示の再開を示す信号を通信部２０１を介して表示構成情報管理部２０２で受け付ける。そして、表示構成情報管理部２０２では、表示構成情報管理部２０２に保存されている１または複数の表示構成情報の内の、最も直前に保存された表示構成情報を情報投影装置１００に送信するようにすればよい。そして、表示構成情報を通信部１０１で受け付けた情報投影装置１００は、表示構成情報生成部１０３から投影表示部１０４へ、受け付けた表示構成情報の画像表示要求を投影表示部１０４へ送信するようにすればよい。
【０１１１】
具体的には、図１４に示す印刷処理の手順を示すシーケンス図において、状態管理部２０６が中断検知処理を行ない（ステップＳ６１、図１４参照）、且つ該処理において中断検知と判別した後に、印刷データ生成装置２００において、図４５に示す再開処理を所定時間毎に繰り替えし実行し、情報投影装置１００において、図４６に示す再開処理を所定時間毎に繰り返し実行すればよい。
【０１１２】
詳細には、図４５に示すように、印刷データ生成装置２００の状態管理部２０６が、情報投影装置１００から通信部２０１を介して、投影表示の状態を示す信号を受信したか否かを判別する（ステップＳ４００）。そして、投影表示の状態を示す信号を受信した場合には（ステップＳ４００：Ｙｅｓ）、状態管理部２０６は、ステップＳ４０１へ進み、受信した投影表示の状態を示す信号が、投影表示の再開を示す信号であるか否かを判別する（ステップＳ４０１）。そして、状態管理部２０６が、投影表示の再開を示す信号であることを判別した場合には（ステップＳ４０１：Ｙｅｓ）、表示構成情報管理部２０２が、該表示構成情報管理部２０２に記憶されている表示構成情報のうちの、少なくとも直前に記憶された表示構成情報を読み取り、通信部２０１を介して情報投影装置１００へ送信（ステップＳ４０２、ステップＳ４０３）した後に、本ルーチンを終了する。なお、上記ステップＳ４００及びステップＳ４０１で否定判断した場合には（ステップＳ４００：Ｎｏ、ステップＳ４０１：Ｎｏ）、本ルーチンを終了する。
【０１１３】
そして、図４６に示すように、情報投影装置１００の通信部１０１は、印刷データ生成装置２００から表示構成情報を受信したか否かを判別する（ステップＳ４０４）。そして、ステップＳ４０４で肯定判断すると（ステップＳ４０４：Ｙｅｓ）、投影表示部１０４が、受信した表示構成情報に応じた投影表示を行った（ステップＳ４０５）後に、本ルーチンを終了する。一方、ステップＳ４０４で否定判断すると（ステップＳ４０４：Ｎｏ）、本ルーチンを終了する。
【０１１４】
このようにすれば、投影表示が中断された後に、再度投影表示が再開された場合に、投影表示の直前に投影表示されていた画像データを、該中断前に指示された表示形態で表示することができる。このため、例えば、一時的に中断されたプレゼンテーションを、投影表示の中断前の状態から連続するように、再開することができる。
【０１１５】
（実施の形態２）
実施の形態１の情報投影システムでは、印刷データ生成部２０４が印刷装置３００に印刷データとともに印刷要求を送信すると、印刷装置３００では、受信した印刷データを印刷する場合を説明した（図１４中、ステップＳ６９、ステップＳ７０参照）。
【０１１６】
一方、本実施の形態２の情報投影システムでは、実施の形態１の印刷装置３００（本実施の形態２では印刷装置３００Ａ）は、受信した印刷データを装置内のメモリに記憶し、実施の形態１の印刷装置３００（本実施の形態２では印刷装置３００Ａ）において印刷実行が指示されたときに、メモリに記憶した印刷データを印刷する。
【０１１７】
図１８は、実施の形態２の情報投影システムのネットワーク構成、および情報投影装置、印刷データ生成装置、印刷装置の各機能的構成を示すブロック図である。本実施の形態にかかる情報投影システムは、情報投影装置１００と、印刷データ生成装置２００Ａと、ＰＣ４００と、画像形成装置としての印刷装置３００Ａと、を備え、それぞれがインターネット等のネットワークに接続された構成となっている。なお、情報投影装置１００、及びＰＣ４００の機能、構成は実施の形態１と同様であるため、詳細な説明を省略する。
【０１１８】
印刷データ生成装置２００Ａは、実施の形態１と同様に、投影表示された文書データを印刷するための印刷データを生成し、印刷装置３００Ａに送信するものである。印刷データ生成装置２００Ａは、図１８に示すように、状態管理部２０６と、通信部２０１と、表示構成情報管理部２０２と、文書管理部２０３と、印刷データ生成部２０４Ａと、画像データ生成部２０５と、記憶部２１０とを主に備えている。ここで、状態管理部２０６と、通信部２０１と、表示構成情報管理部２０２と、文書管理部２０３と、画像データ生成部２０５と、記憶部２１０の機能、構成については実施の形態１と同様であるため、詳細な説明を省略する。
【０１１９】
本実施の形態２の印刷データ生成部２０４Ａは、生成した印刷データと印刷要求の送信に変えて、生成した印刷データと記憶要求を印刷装置３００Ａに送信する以外は、実施の形態１の印刷データ生成部２０４と同じ機能・構成である。
【０１２０】
印刷装置３００Ａは、印刷部３０１と、各種情報を記憶するための記憶部３０１Ｂと、印刷実行を指示するための操作部３０１Ａと、を備えている。
【０１２１】
記憶部３０１Ｂは、ハードディスクドライブ装置（ＨＤＤ）等の記憶媒体であり、印刷データ生成装置２００Ａから送信された印刷データを記憶する。操作部３０１Ａは、例えば、ボタン、リモコン受信部、および、ＩＣカードなどから情報を読取るカードリーダなどにより構成される入力デバイスである。なお、操作部１０２がキーボードを備えるように構成してもよい。本実施の形態２では、操作部３０１Ａによって印刷実行が指示されたときに、印刷部３０１が、記憶部３０１Ｂに記憶されている印刷データの印刷を実行する。
【０１２２】
なお、本実施の形態２にかかる情報投影システムでは、文書データの登録処理、文書データの表示処理、印刷処理は、それぞれ、図１１，１２，１３、１４、１５、１６、１７を用いて説明した実施の形態１の各処理と同様に行われる。本実施の形態では、図１４に示す印刷処理の流れにおいて、ステップＳ６８の印刷データ生成処理及び該印刷データ生成処理後の処理が実施の形態１と異なっている。
【０１２３】
次に、以上のように構成された本実施の形態の情報投影システムによる印刷処理について説明する。図１９は、実施の形態２の印刷処理の手順を示すシーケンス図である。
【０１２４】
本実施の形態２では、実施の形態１の印刷処理の手順で説明した（図１４参照）ステップＳ６１〜ステップＳ６８と同じ処理が実行されて、ステップＳ６８において、印刷データ生成部２０４Ａが印刷データ生成処理を実行する。なお、ステップＳ６１〜ステップＳ６８の処理は、実施の形態１で説明したため、詳細な説明を省略する。
【０１２５】
次に、印刷データ生成部２０４Ａは、印刷データを生成すると、印刷装置３００Ａに印刷データとともに記憶要求を送信する（ステップＳ７１）。記憶要求を受信した印刷装置３００Ａでは、受信した印刷データを記憶部３０１Ｂに記憶する（ステップＳ７２）。
【０１２６】
そして、印刷装置３００Ａでは、ユーザによって操作部３０１Ａが操作指示されて、操作部３０１Ａから印刷指示を示す信号が入力されたときに、記憶部３０１Ｂに記憶された印刷データを印刷する（図示省略）。
【０１２７】
従って、本実施の形態２の情報投影システムでは、プロジェクタへの投影表示によるプレゼンテーション等の最中に投影表示が中断された場合に、中断前に投影表示された内容を、ユーザの所望する任意のタイミングで、投影表示された表示形態のままで確認することができる。
【０１２８】
（実施の形態３）
実施の形態１の情報投影システムでは、印刷データ生成部２０４が印刷装置３００に印刷データとともに印刷要求を送信すると、印刷装置３００では、受信した印刷データを印刷する場合を説明した（図１４中、ステップＳ６９、ステップＳ７０参照）。
【０１２９】
一方、本本実施の形態３の情報投影システムでは、実施の形態１における印刷データ生成部２０４（本実施の形態３では印刷データ生成部２０４Ｂ）で生成された印刷データを、実施の形態１における情報投影装置１００（本実施の形態３では情報投影装置１００Ｂ）に設けられた外部記憶装置に記憶する。
【０１３０】
図２０は、実施の形態３の情報投影システムのネットワーク構成、および情報投影装置、印刷データ生成装置、印刷装置の各機能的構成を示すブロック図である。本実施の形態にかかる情報投影システムは、情報投影装置１００Ｂと、画像形成データ生成装置としての印刷データ生成装置２００Ｂと、画像形成装置としての印刷装置３００と、ＰＣ４００とを備え、それぞれがインターネット等のネットワークに接続された構成となっている。また、情報投影装置１００Ｂには、外部記憶装置５０１が接続されている。ここで、ＰＣ４００、印刷装置３００の機能、構成は実施の形態１と同様である。
【０１３１】
外部記憶装置５０１は、例えば、ハードディスクドライブ装置（ＨＤＤ）や、ＵＳＢメモリ等の記憶媒体が該当するが、これらに限定されるものではない。
【０１３２】
情報投影装置１００Ｂは、実施の形態１と同様に、投影スクリーンに文書データの内容を投影表示するプロジェクタ等であるが、これに限定されるものではない。情報投影装置１００Ｂは、図２０に示すように、入出力インタフェイス１０６（以下、「入出力Ｉ／Ｆ１０６」という。）と、操作部１０２と、通信部１０１Ｂと、表示構成情報生成部１０３と、投影表示部１０４とを主に備えている。ここで、操作部１０２、表示構成情報生成部１０３、投影表示部１０４、及び状態管理部１０５の機能、構成は実施の形態１と同様である。
【０１３３】
入出力Ｉ／Ｆ１０６は、外部記憶装置５０１に印刷データを記憶するためのインタフェイスである。通信部１０１Ｂは、実施の形態１の通信部１０１と同様の機能を有するほか、印刷データ生成装置２００Ｂから受け付けて、入出力Ｉ／Ｆ１０６に送信する。
【０１３４】
印刷データ生成装置２００Ｂは、実施の形態１と同様に、投影表示された文書データを印刷するための印刷データを生成し、印刷装置３００に送信するものである。印刷データ生成装置２００Ｂは、図２０に示すように、通信部２０１と、表示構成情報管理部２０２と、文書管理部２０３と、印刷データ生成部２０４Ｂと、画像データ生成部２０５と、記憶部２１０と、状態管理部２０６と、を主に備えている。ここで、通信部２０１、文書管理部２０３と、画像データ生成部２０５、状態管理部２０６、記憶部２１０の機能、構成については実施の形態１と同様である。
【０１３５】
本実施の形態の印刷データ生成部２０４Ｂは、生成した印刷データと印刷要求の印刷装置３００への送信に変えて、生成した印刷データと記憶要求を情報投影装置１００Ｂへ送信する以外は、実施の形態１の印刷データ生成部２０４と同じ機能・構成である。
【０１３６】
なお、本実施の形態３にかかる情報投影システムでは、文書データの登録処理、文書データの表示処理、印刷処理は、それぞれ、図１１，１２，１３、１４、１５、１６、１７を用いて説明した実施の形態１の各処理と同様に行われる。本実施の形態では、図１４に示す印刷処理の流れにおいて、ステップＳ６８の印刷データ生成処理及び該印刷データ生成処理後の処理が実施の形態１と異なっている。
【０１３７】
次に、以上のように構成された本実施の形態の情報投影システムによる印刷処理について説明する。図２１は、実施の形態３の印刷処理の手順を示すシーケンス図である。
【０１３８】
本実施の形態３では、実施の形態１の印刷処理の手順で説明した（図１４参照）ステップＳ６１〜ステップＳ６８と同じ処理が実行されて、ステップＳ６８において、印刷データ生成部２０４Ｂが印刷データ生成処理を実行する。なお、ステップＳ６１〜ステップＳ６８の処理は、実施の形態１で説明したため、詳細な説明を省略する。
【０１３９】
次に、印刷データ生成部２０４Ｂは、通信部２０１、通信部１０１Ｂ、及び入出力Ｉ／Ｆ１０６を介して、外部記憶装置５０１に、生成した印刷データとともに記憶要求を送信する（ステップＳ７３、ステップＳ７４、ステップＳ７５、ステップＳ７６）。記憶要求及び印刷データを受信した外部記憶装置５０１は、受信した印刷データを記憶する（ステップＳ７７）。
【０１４０】
従って、本実施の形態３の情報投影システムでは、プロジェクタへの投影表示によるプレゼンテーション等の最中に投影表示が中断された場合に、中断前に投影表示された内容を、ユーザの所望する任意のタイミングで、投影表示された表示形態のままで外部記憶装置５０１に記憶することができる。このため、外部記憶装置５０１を所望のＰＣ等の装置に装着することで、該ＰＣにネットワーク等で接続された所望の印刷装置から、印刷データを印刷することができる。
【０１４１】
（実施の形態４）
実施の形態１の情報投影システムでは、投影表示が中断された場合に、中断前に投影表示された文書データを構成する画像データを、投影表示された表示形態と同じ表示形態で画像形成する場合を説明した。
【０１４２】
一方、本実施の形態４の情報投影システムでは、投影表示が中断された場合に、文書データに含まれる、中断前に投影表示された画像データのみではなく、未投影表示の画像データについても画像形成する。
【０１４３】
図２２は、実施の形態４の情報投影システムのネットワーク構成、および情報投影装置、印刷データ生成装置、印刷装置の各機能的構成を示すブロック図である。本実施の形態にかかる情報投影システムは、情報投影装置１００と、画像形成データ生成装置としての印刷データ生成装置２００Ｃと、画像形成装置としての印刷装置３００と、ＰＣ４００とを備え、それぞれがインターネット等のネットワークに接続された構成となっている。ここで、ＰＣ４００、印刷装置３００、及び情報投影装置１００の機能、構成は実施の形態１と同様である。
【０１４４】
印刷データ生成装置２００Ｃは、実施の形態１と同様に、投影表示された文書データを印刷するための印刷データを生成し、印刷装置３００に送信するものである。印刷データ生成装置２００Ｃは、図２２に示すように、状態管理部２０６と、通信部２０１と、表示構成情報管理部２０２と、文書管理部２０３と、印刷データ生成部２０４Ｃと、画像データ生成部２０５と、記憶部２１０とを主に備えている。ここで、状態管理部２０６、通信部２０１、文書管理部２０３と、表示構成情報管理部２０２、画像データ生成部２０５、記憶部２１０の機能、構成については実施の形態１と同様である。
【０１４５】
本実施の形態４の印刷データ生成部２０４Ｃは、実施の形態１における印刷データ生成部２０４と同様に、印刷データを生成する。ただし、本実施の形態４の印刷データ生成部２０４Ｃでは、ユーザによって指示された表示形態の表示構成情報に対応する画像データのみではなく、未投影表示の画像データについても印刷データを作成する。印刷データ生成部２０４Ｃの機能及び構成は、投影表示済の画像データに加えて、この未投影表示の画像データの印刷データについても作成を行う以外は、実施の形態１の印刷データ生成部２０４と同様の機能及び構成である（詳細後述）。
【０１４６】
次に、以上のように構成された本実施の形態の情報投影システムによる印刷処理について説明する。図２３は、実施の形態４の印刷処理の手順を示すシーケンス図である。なお、実施の形態１の印刷処理の手順で説明した（図１４参照）手順と同じ手順については、同じ符号を付与した。
【０１４７】
状態管理部２０６が、情報投影装置１００における投影表示の中断を検知すると（ステップＳ６１）、状態管理部２０６は、印刷データ生成部２０４Ｃに印刷要求を送信する（ステップＳ６３）。印刷データ生成部２０４Ｃは、印刷要求を受信すると、表示構成情報管理部２０２に保存されている全ての表示構成情報（すなわち、表示資料情報）の取得を要求するための、表示構成情報取得要求を表示構成情報管理部２０２に送信する（ステップＳ６４）。
【０１４８】
表示構成情報管理部２０２は、表示構成情報管理部２０２に保存されている表示資料情報に含まれる、全ての表示構成情報を取得して、取得した全ての表示構成情報を印刷データ生成部２０４Ｃに送信する（ステップＳ６５）。
【０１４９】
次に、印刷データ生成部２０４Ｃは、印刷要求（ステップＳ６３）に対応する文書データに対応する画像リストに登録されている全ての画像ＩＤの画像データの取得要求を、文書管理部２０３に送信する（ステップＳ６６０）。この取得要求を受けた文書管理部２０３は、記憶部２１０に保存されている、取得要求のあった画像リストに登録されている全ての画像ＩＤの画像データを取得して、取得した画像データを画像ＩＤとともに印刷データ生成部２０４Ｃに送信する（ステップＳ６７０）。
【０１５０】
そして、画像データを受信した印刷データ生成部２０４Ｃは、印刷データ生成処理を行う（ステップＳ７８）（詳細後述）。
【０１５１】
さらに、印刷データ生成部２０４Ｃは、生成した印刷データと印刷要求を、印刷装置３００に送信する（ステップＳ６９）。印刷要求を受信した印刷装置３００では、印刷部３０１が受信した印刷データを印刷する（ステップＳ７０）。
【０１５２】
次に、ステップＳ７８における印刷データ生成処理の詳細について説明する。図２４は、本実施の形態４の印刷データ生成処理の手順を示すフローチャートである。
【０１５３】
まず、印刷データ生成部２０４Ｃは、実施の形態１の印刷データ生成部２０４における印刷データ生成処理のステップＳ８１〜ステップ８８の処理を実行する。なお、ステップＳ８１〜ステップＳ８８の処理は、実施の形態１と同じであり、ステップＳ８９の処理のみが実施の形態１と異なる。
【０１５４】
印刷データ生成部２０４Ｃが、ステップＳ８１〜ステップＳ８８の処理を実行し、且つステップＳ８３〜ステップＳ８８の処理を、上記ステップＳ６５（図２３参照）で取得した表示構成情報の数分、すなわち、投影表示済の表示形態の数分、繰り返し実行することによって、投影表示済の表示形態を示す全ての表示構成情報に対応する印刷データを生成することができる。
【０１５５】
次に、印刷データ生成部２０４Ｃは、未表示投影画像の印刷データの作成処理を実行する（ステップＳ８９）。
【０１５６】
この未表示投影画像の印刷データの作成処理（ステップＳ８９）を、図２５に示した。
【０１５７】
印刷データ生成部２０４Ｃは、文書データに含まれる１または複数の画像データに、未投影表示の画像データが含まれているか否かを判断する（ステップＳ９０）。このステップＳ９０の判断は、例えば、上記ステップＳ６７０（図２３参照）で取得した、全ての画像データについて、各画像データに対応する画像ＩＤが、上記ステップ６５（図２３参照）で取得した表示構成情報中に存在するか否かを判別することによって、判断する。
【０１５８】
未投影表示の画像データが存在しない場合には（ステップＳ９０：Ｎｏ）、本ルーチンを終了する。一方、未投影表示の画像データが存在した場合には（ステップＳ９０：Ｙｅｓ）、印刷データ生成部２０４Ｃは、文書データに含まれる画像データのうちの、未投影表示の画像データの全てを抽出する（ステップＳ９１）。
【０１５９】
次に、印刷データ生成部２０４Ｃは、以下のステップＳ９２及びステップＳ９３の処理を、抽出した画像データの数分繰り返し実行する。
【０１６０】
印刷データ生成部２０４Ｃは、画像データの全範囲を印刷対象画像として指定する（ステップＳ９２）。そして、該印刷対象画像を、印刷用画像メモリ領域上に上書きする（ステップＳ９３）。印刷データ生成部２０４Ｃは、上記のようなステップＳ９２からステップＳ９３までの処理を、抽出した画像データの数分、すなわち、未投影表示の全ての画像データについて繰り返し行う。これによって、印刷データ生成部２０４Ｃは、未投影表示の画像データの印刷データを作成する。
【０１６１】
このため、本実施の形態４の情報投影システムでは、投影表示が中断された場合に、文書データに含まれる、中断前に投影表示された画像データのみではなく、未表示の画像データについても画像形成することができる。また、中断前に投影表示された画像データについては、投影表示された表示形態と同じ表示形態で画像形成することができる。
【０１６２】
なお、本実施の形態４における印刷データ生成処理が実行されることによって、例えば、下記のような画像を画像形成することができる。
【０１６３】
図２６は、表示情報を含む表示構成情報の一例を示す説明図である。なお、図２６に示す表示構成情報は、表示構成情報管理部２０２に記憶されている、投影表示２回分の表示構成情報の一例を示したものである。図２７は、画像ＩＤ＝１、２、３、４の各々の画像データを有する画像リストが記憶部２１０に記憶されている場合を示したものである。このように、記憶部２１０には図２７に示す４つの画像ＩＤに対応する画像データが記憶され、表示構成情報管理部２０２には図２６に示す２回分の投影表示の表示構成情報が記憶されている状態で、状態管理部２０６が中断を検知したとする。
【０１６４】
この場合には、上記図２３に示す本実施の形態４の印刷処理の手順を示すシーケンスが実行されることによって、図２８に示す４枚の印刷データの画像が印刷される。
【０１６５】
すなわち、１番目に投影表示された表示形態である（投影順情報＝１）、画像ＩＤ＝３の画像データＣを、投影表示部１０４の投影スクリーン上の縦横各０％の座標位置を始点として該投影スクリーン上の縦横各５０％の位置に表示する表示形態のままの画像が印刷される（図２８中、１ページ目の画像参照）。また、２番目に投影表示された表示形態である（投影順情報＝２）、画像ＩＤ＝４の画像データＤを、投影表示部１０４の投影スクリーン上の縦横各５０％の座標位置を始点として該投影スクリーン上の縦横各１００％の位置に表示する表示形態のままの画像が印刷される（図２８中、２ページ目の画像参照）。
【０１６６】
そしてさらに、未投影表示の画像ＩＤ＝１及び画像ＩＤ＝２に対応する画像データＡ及び画像データＢの画像が印刷される（図２８中、３ページ目、４ページ目の画像参照）。
【０１６７】
従って、本実施の形態４の情報投影システムでは、投影表示が中断されたときに、中断前に投影表示された内容を、投影表示された表示形態のままで印刷することができるとともに、未投影表示の画像データについても、印刷を行うことができる。
【０１６８】
このため、例えば、情報投影システムにおいて投影表示が中断され、再開することが困難な場合であっても、投影表示前に行っていたプレゼンテーションを継続して行うことができる。
【０１６９】
（実施の形態５）
実施の形態１の情報投影システムでは、投影表示が中断された場合に、中断前に投影表示された文書データを構成する画像データの全てを、投影表示された表示形態と同じ表示形態で画像形成する場合を説明した。
【０１７０】
一方、本実施の形態５の情報投影システムでは、含まれる画像ＩＤが全て一致する表示構成情報については、投影時間の最も長い表示構成情報を選択的に画像形成する。
【０１７１】
図２９は、本実施の形態５の情報投影システムのネットワーク構成、および情報投影装置、印刷データ生成装置、印刷装置の各機能的構成を示すブロック図である。本実施の形態５にかかる情報投影システムは、情報投影装置１００Ｄと、画像形成データ生成装置としての印刷データ生成装置２００Ｄと、画像形成装置としての印刷装置３００と、ＰＣ４００とを備え、それぞれがインターネット等のネットワークに接続された構成となっている。ここで、ＰＣ４００、印刷装置３００の機能、構成は実施の形態１と同様である。
【０１７２】
なお、本実施の形態５の情報投影システムによる文書データの投影表示処理については、実施の形態１で説明した投影表示処理の手順（図１２参照）と同じであるため説明を省略する。
【０１７３】
情報投影装置１００Ｄは、実施の形態１と同様に、投影スクリーンに文書データの内容を投影表示するプロジェクタ等であるが、これに限定されるものではない。情報投影装置１００Ｄは、図２９に示すように、操作部１０２と、通信部１０１Ｄと、表示構成情報生成部１０３と、投影表示部１０４と、状態管理部１０５と、投影時間計測部１０７と、を主に備えている。ここで、操作部１０２、状態管理部１０５、投影表示部１０４、及び表示構成情報生成部１０３の機能、構成は実施の形態１と同様である。
【０１７４】
投影時間計測部１０７は、投影表示部１０４に投影表示された各表示形態の投影時間を計測し、計測によって得られた投影時間情報を、通信部１０１Ｄへ送信する。なお、この投影時間計測部１０７による投影時間の計測は、例えば、表示構成情報生成部１０３から投影表示部１０４に、前回表示要求が送信されてから（ステップＳ２９（図１２参照））、次に表示要求が表示構成情報生成部１０３から投影表示部１０４に送信されるまでの時間を計測することによって行う。そして、投影時間情報計測部１０７は、計測した投影時間情報を、投影時間の計測終了の度に、通信部１０１Ｄへ送信する。
【０１７５】
すなわち、投影時間計測部１０７は、表示構成情報生成部１０３から投影表示部１０４へ前回表示要求が送信されてから（ステップＳ２９）、次に表示要求が表示構成情報生成部１０３から投影表示部１０４へ送信されるまでの時間を、投影時間情報として計測する。そして、投影時間計測部１０７は、計測した投影時間情報を、該前回送信された表示要求によって投影表示部１０４に投影表示された表示形態の投影時間を示す情報として、印刷データ生成装置２００Ｄへ送信する。
【０１７６】
詳細には、投影時間計測部１０７は、表示構成情報生成部１０３で前回生成された表示構成情報の投影順情報を読み取り、該投影順情報と、計測した投影時間を示す投影時間情報と、を、通信部１０１Ｄを介して印刷データ生成装置２００Ｄへ送信する。なお、前回生成された表示構成情報の投影順情報は、表示構成情報生成部１０３に記憶されている投影順情報を示す数値を“１”減算した値を算出することによって得ればよい。
【０１７７】
通信部１０１Ｄは、実施の形態１と同様の機能を有する他、入力された投影時間情報と投影順情報とを含む表示時間情報を生成し、印刷データ生成装置２００Ｄに送信する。
【０１７８】
印刷データ生成装置２００Ｄは、実施の形態１と同様に、投影表示された文書データを印刷するための印刷データを生成し、印刷装置３００に送信する。印刷データ生成装置２００Ｄは、図２９に示すように、状態管理部２０６と、通信部２０１と、表示構成情報管理部２０２Ｄと、文書管理部２０３と、印刷データ生成部２０４Ｄと、画像データ生成部２０５と、記憶部２１０とを主に備えている。ここで、状態管理部２０６、通信部２０１、文書管理部２０３と、画像データ生成部２０５、及び記憶部２１０の機能、構成については実施の形態１と同様である。
【０１７９】
本実施の形態の表示構成情報管理部２０２Ｄは、実施の形態１における表示構成情報管理部２０２と同様の機能を有する他、情報投影装置１００Ｄから通信部２０１を介して、投影時間情報と投影順情報を含む表示時間情報を受信し、受信した表示時間情報に含まれる投影時間情報を、受信した表示時間情報に含まれる投影順情報の登録されている表示構成情報に、登録する。
【０１８０】
図３０は、本実施の形態５の表示構成情報のデータ構造の一例を示す説明図である。図３０に示すように、表示構成情報管理部２０２Ｄは、情報投影装置１００Ｄから受信した表示時間情報に含まれる投影時間情報を、投影順情報の後に登録する。
【０１８１】
すなわち、表示構成情報管理部２０２Ｄは、ユーザによる操作部１０２の操作指示によって投影表示する表示形態が指示される度に情報投影装置１００側で作成され、該情報投影装置１００から受信した表示構成情報を記憶する。そして、更に、表示構成情報管理部２０２Ｄでは、該表示形態の投影表示時間を示す投影時間情報を、該表示形態の投影表示に対応する表示構成情報に登録する。このため、本実施の形態５では、表示構成情報管理部２０２Ｄは、投影時間情報の登録された、１または複数の表示構成情報からなる表示資料情報を記憶する（図３０参照）。
【０１８２】
次に、以上のように構成された本実施の形態の情報投影システムによる、投影時間情報の登録処理について説明する。図３１は、本実施の形態５の投影時間情報の登録処理の手順を示すシーケンス図である。
【０１８３】
投影時間計測部１０７から通信部１０１Ｄへ、上述したタイミングで、表示時間情報としての、投影順情報及び投影時間情報が送信されると（ステップＳ２００２）、通信部１０１Ｄは、受け付けた投影順情報及び投影時間情報を印刷データ生成装置２００Ｄへ送信する（ステップＳ２００３）。印刷データ生成装置２００Ｄでは、送信された投影順情報及び投影時間情報を通信部２０１で受け付け、通信部２０１は、これを表示構成情報管理部２０２Ｄへ送信する（ステップＳ２００４）。
【０１８４】
表示構成情報管理部２０２Ｄは、受信した投影時間情報を、受信した投影順情報の登録されている表示構成情報に登録する（ステップＳ２００５）。これによって、表示構成情報管理部２０２Ｄには、図３０に示す表示資料情報が記憶された状態となる。
【０１８５】
そして、表示構成情報への登録が完了すると、表示構成情報管理部２０２Ｄは、通信部２０１を介して、情報投影装置１００Ｄへ登録完了通知を送信する（ステップＳ２００６、Ｓ２００７）。
【０１８６】
情報投影装置１００Ｄでは、登録完了通知を通信部１０１Ｄで受信し、投影時間計測部１０７へ送信する（ステップＳ２００８）。
【０１８７】
本実施の形態にかかる情報投影システムでは、文書データの登録処理、文書データの表示処理、印刷処理は、それぞれ、図１１、１２、１３、１４、１５、１６、１７を用いて説明した実施の形態１の各処理と同様に行われる。本実施の形態では、図１４に示す印刷処理の流れにおいて、ステップＳ６８の印刷データ生成処理が実施の形態１と異なっている。
【０１８８】
図３２は、本実施の形態５の印刷データ生成処理の手順を示すフローチャートである。本実施の形態では、ステップＳ５０１からステップＳ５０２の処理は、実施の形態１の印刷データ生成処理におけるステップＳ８１からステップＳ８２（図１７参照）と同様に行われ、印刷サイズの範囲が印刷用画像メモリ領域に割り当てられる。
【０１８９】
次に、本実施の形態５の特有の処理として、印刷データ生成部２０４Ｄは、以下のステップＳ５０３からステップＳ５０７の処理を実行する。
【０１９０】
印刷データ生成部２０４Ｄは、表示構成情報管理部２０２Ｄから取得した全ての表示構成情報を解析し（ステップＳ５０３）、含まれる画像ＩＤの全てが一致する表示構成情報有りか否かを判断する（ステップＳ５０４）。そして、含まれる画像ＩＤの全てが一致する表示構成情報有りと判断した場合には（ステップＳ５０４：Ｙｅｓ）、この含まれる画像ＩＤの全てが一致する表示構成情報のうちの、登録されている投影時間情報の最も長い表示構成情報を印刷対象として設定し、他の表示構成情報を印刷対象外として設定する（ステップＳ５０５）。
【０１９１】
ステップＳ５０４及びステップＳ５０５の処理によって、投影表示済の表示形態を示す表示構成情報に、含まれる画像ＩＤの全てが一致する表示構成情報が含まれている場合には、これらの全画像ＩＤの一致する表示構成情報のうちの、最も長く投影表示された表示形態を示す表示構成情報のみが印刷対象として設定される。そして、該複数の表示構成情報のうちの、該最も長く投影表示された表示形態を示す表示構成情報より、投影時間の短い表示形態の表示構成情報は、印刷対象外として設定される。
【０１９２】
次に、印刷データ生成部２０４Ｄは、表示構成情報管理部２０２Ｄから取得した全ての表示構成情報のうちの、含まれる画像ＩＤの全てが一致する表示構成情報の存在しない表示構成情報を、印刷対象として設定する（ステップＳ５０６）。
【０１９３】
一方、ステップＳ５０４の判断において、含まれる全画像ＩＤが一致する表示構成情報無しと判断した場合には（ステップＳ５０４：Ｎｏ）、表示構成情報管理部２０２Ｄから取得した全ての表示構成情報を印刷対象として設定（ステップＳ５０７）する。
【０１９４】
次に、印刷データ生成部２０４Ｄは、上記ステップＳ５０４からステップＳ５０７の処理によって、印刷対象として設定した表示構成情報について、下記ステップＳ５０８からステップＳ５１３の処理を実行する。すなわち、印刷データ生成部２０４Ｄは、印刷対象として設定した表示構成の数分、下記ステップＳ５０８からステップＳ５１３の処理を繰り返し実行する。
【０１９５】
このステップＳ５０８からステップＳ５１３の処理は、実施の形態１の印刷データ生成処理におけるステップＳ８３からステップＳ８８（図１７参照）と同様に行われる。
【０１９６】
このため、印刷データ生成部２０４Ｄが、図３２に示す印刷データ生成処理を実行することによって、投影表示の中断前に複数の表示形態が投影表示されている場合に、含まれる画像ＩＤが全て一致する表示構成情報によって示される表示形態については、投影時間の最も長い表示構成情報によって示される表示形態を選択的に画像形成することができる。
【０１９７】
なお、本実施の形態５における印刷データ生成処理が実行されることによって、例えば、下記のような画像を得ることができる。
【０１９８】
図３３は、表示構成情報の一例を示す説明図である。なお、図３３に示す表示構成情報は、表示構成情報管理部２０２Ｄに記憶されている、投影表示３回分の表示構成情報の一例を示したものである。図３４は、画像ＩＤ＝１、２、３の各々の画像データ（画像データＡ、画像データＢ、画像データＣ）を有する画像リストが記憶部２１０に記憶されている場合を示したものである。
【０１９９】
なお、図３３に示す例では、投影順情報＝１の登録された表示構成情報には、投影時間＝１５分を示す投影時間情報が登録されている。また、投影順情報＝２の登録された表示構成情報には、投影時間＝１５分を示す投影時間情報が登録されている。また、投影順情報＝３の登録された表示構成情報には、投影時間２５分を示す投影時間情報が登録されている。
【０２００】
そして、記憶部２１０に、図３４に示す３つの画像ＩＤに対応する画像データ（画像データＡ、画像データＢ、画像データＣ）を有する画像リストが記憶され、表示構成情報管理部２０２Ｄには図３３に示す表示構成情報から構成された表示資料情報が記憶されている状態で、状態管理部２０６が中断を検知したとする。
【０２０１】
この場合には、上記図３２に示す本実施の形態５の印刷データ生成処理が実行され、また、図１４と同様の印刷手順を示すシーケンスが実行されることによって、図３２に示す２枚の印刷データの画像が印刷される。
【０２０２】
すなわち、図３３に示す３つの表示構成情報の内の、投影順情報＝１の登録された表示構成情報に登録されている画像ＩＤの全てと、投影順情報＝３の登録された表示構成情報に登録されている画像ＩＤの全てと、は一致する（画像ＩＤ＝１、２）。このため、これらの２つの表示構成情報のうちの、最も長い投影時間情報（２５分）の登録されている表示構成情報である、投影順情報＝３の登録された表示構成情報が、印刷対象として設定される。一方、該２つの表示構成情報のうちの、投影順情報＝１の登録された表示構成情報は、印刷対象外として設定される。また、投影順情報＝２の登録された表示構成情報については、全画像ＩＤの一致する表示構成情報が無いことから、印刷対象として設定される。
【０２０３】
このため、図３５に示すように、図３３に示す表示構成情報が表示構成情報管理部２０２Ｄに記憶されている場合には、本実施の形態５の情報投影システムでは、投影順情報＝２の登録された表示構成情報と、投影順情報＝３の登録された表示構成情報と、の各々によって示される表示形態の画像が印刷される（図３５参照）。そして、全画像ＩＤの一致する表示構成情報が存在し、且つ投影時間の最も長い表示構成情報以外の表示構成情報の表示形態については、印刷されない。
【０２０４】
従って、本実施の形態５の情報投影システムでは、中断前に複数の表示形態が投影表示されている場合に、含まれる画像ＩＤが全て一致する表示構成情報によって示される表示形態については、投影時間の最も長い表示構成情報によって示される表示形態を選択的に画像形成することができる。
【０２０５】
（実施の形態６）
本実施の形態６の情報投影システムでは、実施の形態１の情報投影システムによる処理に加えて、議事録の内容も印刷するものである。
【０２０６】
図３６は、実施の形態６の情報投影システムのネットワーク構成、および情報投影装置、印刷データ生成装置、印刷装置の各機能的構成を示すブロック図である。本実施の形態にかかる情報投影システムは、情報投影装置１００Ｅと、画像形成データ生成装置としての印刷データ生成装置２００Ｅと、画像形成装置としての印刷装置３００と、ＰＣ４００とを備え、それぞれがインターネット等のネットワークに接続された構成となっている。また、情報投影装置１００Ｅには、外部入力装置５００が接続されている。ここで、ＰＣ４００、印刷装置３００の機能、構成は実施の形態１と同様である。
【０２０７】
外部入力装置５００は、例えば、キーボードやタブレットなどのテキスト入力が可能なデバイスや、マイクロフォンなどの音声入力が可能なデバイス等が該当するが、これらに限定されるものではない。
【０２０８】
情報投影装置１００Ｅは、実施の形態１と同様に、投影スクリーンに文書データの内容を投影表示するプロジェクタ等であるが、これに限定されるものではない。情報投影装置１００Ｅは、図３６に示すように、入出力インタフェイス１０８（以下、「入出力Ｉ／Ｆ１０８」という。）と、操作部１０２と、状態管理部１０５と、通信部１０１Ｅと、表示構成情報生成部１０３と、投影表示部１０４とを主に備えている。ここで、操作部１０２、表示構成情報生成部１０３、投影表示部１０４の機能、構成は実施の形態１と同様である。
【０２０９】
なお、本実施の形態６の情報投影システムによる文書データの投影表示処理については、実施の形態１で説明した投影表示処理の手順（図１２参照）と同じであるため説明を省略する。
【０２１０】
入出力Ｉ／Ｆ１０８は、外部入力装置５００から、入力データとして、議事録の内容である議事録データの入力を受け付ける。
【０２１１】
通信部１０１Ｅは、実施の形態１と同様の機能を有する他、入力された議事録データによる議事録情報を印刷データ生成装置２００Ｅに送信する。詳細には、通信部１０１Ｅは、外部入力装置５００から入出力Ｉ／Ｆ１０８を介して入力される議事録データを、通信部１０１Ｅ内の図示を省略するメモリ内に順次蓄積し、下記期間内に蓄積された議事録データを一括したデータを議事録情報として、投影順情報と共に、印刷データ生成装置２００Ｅに送信する。
【０２１２】
さらに詳細には、通信部１０１Ｅは、表示構成情報生成部１０３から投影表示部１０４へ前回表示要求が送信されてから（ステップＳ２９（図１２参照））、次に表示要求が表示構成情報生成部１０３から投影表示部１０４へ送信されるまでの期間内に、外部入力装置５００から入出力Ｉ／Ｆ１０８を介して入力された議事録データを、図示を省略するメモリ内に蓄積する。そして、通信部１０１Ｅは、該期間内に該メモリに蓄積した議事録データとしての議事録情報を、該前回送信された表示要求によって投影表示部１０４に投影表示された表示形態の投影表示時の議事録内容を示す議事録情報として、通信部１０１Ｅを介して印刷データ生成装置２００Ｅへ送信する。
【０２１３】
具体的には、本実施の形態６では、通信部１０１Ｅは、該期間が経過したときに、表示構成情報生成部１０３で前回生成された表示構成情報の投影順情報を読み取り、該投影順情報と、該期間内に蓄積された議事録データとしての議事録情報と、を含む外部入力情報を、通信部１０１Ｅを介して印刷データ生成装置２００Ｅへ送信する。なお、この前回生成された表示構成情報の投影順情報は、表示構成情報生成部１０３に記憶されている投影順情報を示す数値を“１”減算した値を算出することによって得ればよい。
【０２１４】
印刷データ生成装置２００Ｅは、実施の形態１と同様に、投影表示された文書データを印刷するための印刷データを生成し、印刷装置３００に送信する。印刷データ生成装置２００Ｅは、図３６に示すように、通信部２０１と、表示構成情報管理部２０２Ｅと、文書管理部２０３と、印刷データ生成部２０４Ｅと、画像データ生成部２０５と、記憶部２１０、状態管理部２０６と、を主に備えている。ここで、通信部２０１、文書管理部２０３と、画像データ生成部２０５、記憶部２１０、状態管理部２０６の機能、構成については実施の形態１と同様である。
【０２１５】
本実施の形態の表示構成情報管理部２０２Ｅは、実施の形態１と同様の機能を有する他、情報投影装置１００Ｅから通信部２０１を介して、議事録情報及び投影順情報を含む外部入力情報を受信し、受信した外部入力情報に含まれる議事録情報を、受信した該外部入力情報に含まれる投影順情報の登録された表示構成情報に登録する。
【０２１６】
図３７は、本実施の形態６の表示構成情報のデータ構造の一例を示す説明図である。図３７に示すように、表示構成情報管理部２０２Ｅは、情報投影装置１００Ｅから受信した議事録情報を、受信した投影順情報の登録された表示構成情報に登録する。
【０２１７】
次に、以上のように構成された本実施の形態の情報投影システムによる、議事録情報の登録処理について説明する。図３８は、本実施の形態６の議事録情報の登録処理の手順を示すシーケンス図である。
【０２１８】
外部入力装置５００から情報投影装置１００Ｅへ入力された議事録データは、入出力Ｉ／Ｆ１０８を介して通信部１０１Ｅの図示を省略するメモリに順次蓄積される（ステップＳ１００１、ステップＳ１００２）。
【０２１９】
そして、通信部１０１Ｅは、外部入力情報としての、上述した期間内に図示を省略するメモリ内に蓄積された議事録データである議事録情報と投影順情報とを、上述したタイミングで印刷データ生成装置２００Ｅへ送信する（ステップＳ１００３）。印刷データ生成装置２００Ｅでは、送信された投影順情報及び議事録情報を通信部２０１で受け付け、通信部２０１は、これを表示構成情報管理部２０２Ｅへ送信する（ステップＳ１００４）。
【０２２０】
表示構成情報管理部２０２Ｅは、受信した議事録情報を、受信した投影時間情報の登録されている表示構成情報に登録する（ステップＳ１００５）。これによって、表示構成情報管理部２０２Ｅには、例えば、図３７に示す表示資料情報が記憶された状態となる。
【０２２１】
そして、表示構成情報への登録が完了すると、表示構成情報管理部２０２Ｅは、通信部２０１を介して、情報投影装置１００Ｅへ登録完了通知を送信する（ステップＳ１００６、Ｓ１００７）。
【０２２２】
情報投影装置１００Ｅでは、登録完了通知を通信部１０１Ｅで受信し、該登録完了通知を、入出力Ｉ／Ｆ１０８を介して外部入力装置５００へ送信する（ステップＳ１００８、Ｓ１００９）。
【０２２３】
本実施の形態にかかる情報投影システムでは、文書データの登録処理、文書データの表示処理、印刷処理は、それぞれ、図１１、１２、１３、１４、１５、１６、１７を用いて説明した実施の形態１の各処理と同様に行われる。本実施の形態では、図１４に示す印刷処理の流れにおいて、ステップＳ６８の印刷データ生成処理が実施の形態１と異なっている。
【０２２４】
図３９は、本実施の形態６の印刷データ生成処理の手順を示すフローチャートである。本実施の形態では、ステップＳ１０２１からＳ１０２８までの処理は、実施の形態１の印刷データ生成処理におけるステップＳ８１からＳ８８と同様に行われる。
【０２２５】
なお、本実施の形態６では、ステップＳ８４〜ステップＳ８８の処理に相当するステップＳ１０２４〜ステップＳ１０２８の処理を重なり情報数分繰り返し実行した後に、新たにステップ１０２９の処理を行う点が実施の形態１とは異なる、また、本実施の形態６では、ステップＳ８３〜ステップＳ８８の処理に相当する、ステップＳ１０２３〜ステップＳ１０２８と新たな処理であるステップＳ１０２９の処理は、表示構成情報の数分繰り返し実行する点が実施の形態１と異なる。
【０２２６】
すなわち、印刷データ生成部２０４Ｅでは、ステップＳ１０２１からステップＳ１０２８の処理を実行し、ステップ１０２４からステップＳ１０２８までの処理を、重なり順情報の数、すなわち表示する画像データの数分繰り返し行うことによって、印刷用画像メモリ領域上に、一又は複数の画像データが上書きされる。
【０２２７】
そして、印刷用画像メモリ領域上に、該一又は複数の画像データが上書きされたら、印刷データ生成部１００Ｅは、さらに、印刷用画像メモリ領域の一又は複数の画像データの後ろに、表示構成情報に登録されている議事録情報の内容をコピーし、コピー後の印刷用画像メモリ領域の内容を印刷データとする（ステップＳ１０２９）。
【０２２８】
そして、上記ステップＳ１０２３〜ステップＳ１０２９の処理を、上記ステップＳ６５（図１４参照）で取得した表示構成情報の数分、すなわち、投影表示済の表示形態の数分、繰り返し実行することによって、投影表示済の表示形態を示す全ての表示構成情報に対応する印刷データを生成することができる。そして、この印刷データが印刷装置３００に送信されて印刷される。
【０２２９】
図４１は、図４０に示す２つの表示構成情報から生成された印刷データおよび印刷結果を示す説明図である。図４１に示すように、ユーザが投影スクリーンで表示した表示形態と同一の形態で、印刷することが可能となるとともに、外部入力装置５００から入力した議事録の内容も印刷されるので、ユーザの便宜となる。
【０２３０】
なお、本実施の形態では、情報投影装置１００Ｅが外部入力装置５００から入力された議事録データの蓄積データとしての議事録情報を印刷データ生成装置２００Ｅに転送し、印刷データ生成装置２００Ｅで表示構成情報に議事録情報を登録する構成としているが、情報投影装置１００Ｅ側で、入力された議事録データ（議事録情報）を含めて表示構成情報を生成するように構成してもよい。
【０２３１】
また、本実施の形態では、外部入力装置５００から入力する入力データとして議事録データを用いた例を示したが、議事録データに限定されるものではなく、任意のデータを入力して印刷するように構成することができる。
【０２３２】
次に、上記実施の形態１、２、３、４、５、６の印刷データ生成装置２００、２００Ａ、２００Ｂ、２００Ｃ、２００Ｄ、２００Ｅのハードウェア構成について説明する。図４２は、実施の形態１、２、３、４、５、６の印刷データ生成装置２００、２００Ａ、２００Ｂ、２００Ｃ、２００Ｄ、２００Ｅのハードウェア構成例を示すブロック図である。
【０２３３】
実施の形態１、２、３、４、５、６の印刷データ生成装置２００、２００Ａ、２００Ｂ、２００Ｃ、２００Ｄ、２００Ｅは、ＣＰＵ２２０２と、ＲＯＭ（Ｒｅａｄ  Ｏｎｌｙ  Ｍｅｍｏｒｙ）２２０３やＲＡＭ２２０４などの記憶装置と、ＨＤＤ２１０やＣＤドライブ装置（不図示）などの外部記憶装置と、ディスプレイ装置などの表示装置（不図示）と、キーボードやマウスなどの入力装置（不図示）と、ネットワークＩ／Ｆ２２０１とを主に備えており、通常のコンピュータを利用したハードウェア構成となっている。
【０２３４】
実施の形態１、２、３、４、５、６の印刷データ生成装置２００、２００Ａ、２００Ｂ、２００Ｃ、２００Ｄ、２００Ｅで実行される印刷データ生成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０２３５】
また、実施の形態１、２、３、４、５、６の印刷データ生成装置２００、２００Ａ、２００Ｂ、２００Ｃ、２００Ｄ、２００Ｅで実行される印刷データ生成プログラムを、インターネット等のネットワークに接続されたコンピュータ上に格納し、ネットワーク経由でダウンロードさせることにより提供するように構成しても良い。また、実施の形態１、２、３、４、５、６の印刷データ生成装置２００、２００Ａ、２００Ｂ、２００Ｃ、２００Ｄ、２００Ｅで実行される印刷データ生成プログラムをインターネット等のネットワーク経由で提供または配布するように構成しても良い。
【０２３６】
また、実施の形態１、２、３、４、５、６の印刷データ生成装置２００、２００Ａ、２００Ｂ、２００Ｃ、２００Ｄ、２００Ｅで実行される印刷データ生成プログラムを、ＲＯＭ２２０３等に予め組み込んで提供するように構成してもよい。
【０２３７】
実施の形態１、２、３、４、５、６の印刷データ生成装置２００、２００Ａ、２００Ｂ、２００Ｃ、２００Ｄ、２００Ｅで実行される印刷データ生成プログラムは、上述した各部（通信部、表示構成情報管理部、文書管理部、印刷データ生成部、画像データ生成部）を含むモジュール構成となっており、実際のハードウェアとしてはＣＰＵ（プロセッサ）が上記記憶媒体から印刷データ生成プログラムを読み出して実行することにより上記各部がＲＡＭ２２０４等の主記憶装置上にロードされ、通信部、表示構成情報管理部、文書管理部、印刷データ生成部、画像データ生成部が主記憶装置上に生成されるようになっている。
【０２３８】
次に、実施の形態１、２、３、４、５、６の情報投影装置１００、１００Ｂ、１００Ｄ、１００Ｅのハードウェア構成について説明する。図４３は、実施の形態１、２、３、４、５、６の情報投影装置１００、１００Ｂ、１００Ｄ、１００Ｅのハードウェア構成例を示すブロック図である。図４３に示すように、情報投影装置１００、１００Ｂ、１００Ｄ、１００Ｅは、主なハードウェア構成として、ＣＰＵ（Ｃｅｎｔｒａｌ  Ｐｒｏｃｅｓｓｉｎｇ  Ｕｎｉｔ）２３０５と、ＲＯＭ２３０６と、ＲＡＭ２３０７と、投影ユニット２３０８と、映像入力端子２３０４と、ＵＳＢ２３０２と、シリアルバス２３０３と、ネットワークＩ／Ｆ（インタフェース）２３０１とがバスに接続された構成となっている。
【０２３９】
ＣＰＵ２３０５は、情報投影装置１００、１００Ｂ、１００Ｄ、１００Ｅの全体の処理を制御する演算装置である。ＲＡＭ２３０７は、ＣＰＵ２３０５による各種処理に必要なデータを記憶する。ＲＯＭ２３０６は、ＣＰＵ２３０５による各種処理を実現するプログラム等を記憶する。
【０２４０】
投影ユニット２３０８は、文書データを映し出す装置であり、投影表示部１０４により制御される。投影ユニット２３０８は、例えば、液晶パネルにより発光した光を、レンズ等を含む光学系で拡大して投影する。なお、投影ユニット２３０８による投影方法はこれに限られるものではなく、ＬＥＤ（Ｌｉｇｈｔ  Ｅｍｉｔｔｉｎｇ  Ｄｉｏｄｅ）を光源として用いた方法などの従来から用いられているあらゆる投影方法を適用できる。
【０２４１】
映像入力端子２３０４は、ＰＣ等と接続してＰＣ等からの映像を受信して投影する場合に利用する入力端子である。ネットワークＩ／Ｆ（インタフェース）２３０１は、印刷データ生成装置２００、２００Ａ、２００Ｂ、２００Ｃ、２００Ｄ、２００Ｅ等の外部装置とネットワークを介して接続し、接続した外部装置との間でデータを送受信するためのインタフェースである。
【０２４２】
なお、実施の形態１、２、３、４、５、６の情報投影装置１００、１００Ｂ、１００Ｄ、１００Ｅで実行される表示構成情報生成プログラムは、ＲＯＭ２３０６等に予め組み込まれて提供される。
【０２４３】
実施の形態１、２、３、４、５、６の情報投影装置１００、１００Ｂ、１００Ｄ、１００Ｅで実行される表示構成情報生成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０２４４】
さらに、実施の形態１、２、３、４、５、６の情報投影装置１００、１００Ｂ、１００Ｄ、１００Ｅで実行される表示構成情報生成プログラムを、インターネット等のネットワークに接続されたコンピュータ上に格納し、ネットワーク経由でダウンロードさせることにより提供するように構成しても良い。また、実施の形態１、２、３、４、５、６の情報投影装置１００、１００Ｂ、１００Ｄ、１００Ｅで実行される表示構成情報生成プログラムをインターネット等のネットワーク経由で提供または配布するように構成しても良い。
【０２４５】
実施の形態１、２、３、４、５、６の情報投影装置１００、１００Ｂ、１００Ｄ、１００Ｅで実行される表示構成情報生成プログラムは、上述した各部（通信部、表示構成情報生成部、投影表示部）を含むモジュール構成となっており、実際のハードウェアとしてはＣＰＵ２３０５が上記ＲＯＭ２３０６から表示構成情報生成プログラムを読み出して実行することにより上記各部がＲＡＭ２３０７等の主記憶装置上にロードされ、通信部、表示構成情報生成部、投影表示部が主記憶装置上に生成されるようになっている。
【０２４６】
（実施の形態７）
実施の形態１、２、３、４、５、６では、印刷データ生成装置２００、２００Ａ、２００Ｂ、２００Ｃ、２００Ｄ、２００Ｅ側で、文書データの登録、表示構成情報からの印刷データの生成を行っていたが、本実施の形態では、印刷データ生成装置を備えず、文書データの登録、表示構成情報からの印刷データの生成をも、情報投影装置で行うものである。
【０２４７】
図４４は、実施の形態７の情報投影システムのネットワーク構成、および情報投影装置、印刷装置の各機能的構成を示すブロック図である。本実施の形態にかかる情報投影システムは、情報投影装置２４００と、画像形成装置としての印刷装置３００と、ＰＣ４００とを備え、それぞれがインターネット等のネットワークに接続された構成となっている。ここで、ＰＣ４００、印刷装置３００の機能、構成は実施の形態１と同様である。また、実施の形態３と同様に、情報投影装置２４００に、外部入力装置５００を接続した構成とすることもできる。
【０２４８】
本実施の形態の情報投影装置２４００は、実施の形態１と同様に、投影スクリーンに文書データの内容を投影表示するプロジェクタ等であるが、これに限定されるものではない。また、本実施の形態の情報投影装置２４００は、実施の形態１の印刷データ生成装置２００の機能、すなわち、ＰＣ４００から送信されてきた文書データを画像変換して登録する機能、投影表示の中断を検知し、中断を検知したときに、投影表示済の文書データ等を印刷するための印刷データを生成し、印刷装置３００に送信する機能も有する。
【０２４９】
情報投影装置２４００は、図４４に示すように、操作部１０２と、表示構成情報生成部１０３と、投影表示部１０４と、表示構成情報管理部２０２と、文書管理部２０３と、印刷データ生成部２０４と、画像データ生成部２０５と、記憶部２１０と、状態管理部２０６を主に備えている。これら各部の機能、構成は実施の形態１の各部と同様である。
【０２５０】
また、本実施の形態にかかる情報投影装置２４００は、文書データの登録処理、文書データの表示処理、印刷処理、印刷データ生成処理は、それぞれ、図１１，１２、１３、１４、１５、１６、１７を用いて説明した実施の形態１の各処理と同様の処理であり、通信部１０１，２０１を介さずに行われる。
【０２５１】
なお、本実施の形態の情報投影装置２４００のハードウェア構成は、図４３に示す構成と同様である。
【０２５２】
このように本実施の形態では、情報投影装置２４００が文書データの登録処理、文書データの表示処理、印刷処理、印刷データ生成処理のすべてを行うので、実施の形態１と同様の効果を有する他、別途、印刷データ生成装置を設ける必要がなくなり、システム構成を簡素化することができる。
【０２５３】
なお、上記実施の形態では、画像形成装置を、印刷装置に適用した例をあげて説明したが、コピー機能、プリンタ機能、スキャナ機能およびファクシミリ機能のうち少なくとも２つの機能を有する複合機、複写装置、ファクシミリ装置等の印刷機能を有する画像形成装置であればいずれにも適用することができる。
【符号の説明】
【０２５４】
１００，１００Ｂ，１００Ｄ，１００Ｅ，２４００  情報投影装置
１０１，２０１，１０１Ｄ，１０１Ｅ  通信部
１０２  操作部
１０３  表示構成情報生成部
１０４  投影表示部
１０６，１０８  入出力インタフェイス
２００，２００Ａ，２００Ｂ，２００Ｃ,２００Ｄ，２００Ｅ  印刷データ生成装置
２０２，２０２Ｄ，２０２Ｅ  表示構成情報管理部
２０３  文書管理部
２０４，２０４Ａ，２０４Ｂ，２０４Ｃ，２０４Ｄ，２０４Ｅ  印刷データ生成部
２０５  画像データ生成部
２１０  記憶部（ＨＤＤ）
３００，３００Ａ  印刷装置
５００  外部入力装置
２２０１，２３０１  ネットワークＩ／Ｆ
２２０２，２３０５  ＣＰＵ
２２０３，２３０６  ＲＯＭ
２２０４，２３０７  ＲＡＭ
２３０２  ＵＳＢ
２３０３  シリアルバス
２３０４  映像端子
２３０８  映像ユニット
【先行技術文献】
【特許文献】
【０２５５】
【特許文献１】特開２００８‐３０５２３３号公報
【特許文献２】特開２００２‐２４７５３９号公報
【図１】
0005803131.tif 000002
【図２】
0005803131.tif 000003
【図３】
0005803131.tif 000004
【図４】
0005803131.tif 000005
【図５】
0005803131.tif 000006
【図６】
0005803131.tif 000007
【図７】
0005803131.tif 000008
【図８】
0005803131.tif 000009
【図９】
0005803131.tif 000010
【図１０】
0005803131.tif 000011
【図１１】
0005803131.tif 000012
【図１２】
0005803131.tif 000013
【図１３】
0005803131.tif 000014
【図１４】
0005803131.tif 000015
【図１５】
0005803131.tif 000016
【図１６】
0005803131.tif 000017
【図１７】
0005803131.tif 000018
【図１８】
0005803131.tif 000019
【図１９】
0005803131.tif 000020
【図２０】
0005803131.tif 000021
【図２１】
0005803131.tif 000022
【図２２】
0005803131.tif 000023
【図２３】
0005803131.tif 000024
【図２４】
0005803131.tif 000025
【図２５】
0005803131.tif 000026
【図２６】
0005803131.tif 000027
【図２７】
0005803131.tif 000028
【図２８】
0005803131.tif 000029
【図２９】
0005803131.tif 000030
【図３０】
0005803131.tif 000031
【図３１】
0005803131.tif 000032
【図３２】
0005803131.tif 000033
【図３３】
0005803131.tif 000034
【図３４】
0005803131.tif 000035
【図３５】
0005803131.tif 000036
【図３６】
0005803131.tif 000037
【図３７】
0005803131.tif 000038
【図３８】
0005803131.tif 000039
【図３９】
0005803131.tif 000040
【図４０】
0005803131.tif 000041
【図４１】
0005803131.tif 000042
【図４２】
0005803131.tif 000043
【図４３】
0005803131.tif 000044
【図４４】
0005803131.tif 000045
【図４５】
0005803131.tif 000046
【図４６】
0005803131.tif 000047